(57)【要約】【課題】セル境界を適切に決定する無線通信システム、基地局装置及び無線通信システムの制御方法を提供する。【解決手段】無線通信システムは、第１セルを形成する基地局装置及び第１セルと重複領域を有する第２セルを形成する基地局装置を有する。構成管理部１５２は、第１セル又は第２セルの構成変更を行う。端末数取得部１５４は、構成管理部１５２により構成が変更された場合の、第１セルと第２セルとの重複領域に在圏する無線移動端末装置の数を求める。構成決定部１５５は、端末数取得部１５４により求められた重複領域に在圏する無線移動端末装置の数を基に、第１セル又は第２セルの何れか一つもしくは双方の構成を決定する。【選択図】図４
2017092680.tif 000002
【特許請求の範囲】
【請求項１】
第１無線エリアを形成する第１基地局装置及び前記第１無線エリアと重複領域を有する第２無線エリアを形成する第２基地局装置を有する無線通信システムであって、
前記第１基地局装置は、
前記第１無線エリア又は前記第２無線エリアの構成変更を行う第１構成変更部と、
前記第１構成変更部により前記構成変更が行われた場合の、前記第１無線エリアと前記第２無線エリアとの重複領域に在圏する無線移動端末装置の数を求める端末数取得部と、
前記端末数取得部により求められた前記重複領域に在圏する無線移動端末装置の数を基に、前記第１無線エリア又は前記第２無線エリアの何れか一つもしくは双方の構成を決定する構成決定部と
を備えたことを特徴とする無線通信システム。
【請求項２】
前記第１構成変更部は、前記第１無線エリアの大きさを段階的に変更し、
前記端末数取得部は、前記第１無線エリアの大きさの各段階における前記第１無線エリア又は前記第２無線エリアに在圏する前記無線移動端末装置の受信品質を基に、前記重複領域に在圏し第１所定条件を満たす前記無線移動端末装置の数を、前記第１無線エリアの大きさの段階毎に求め、
前記第１基地局装置は、
前記構成決定部は、前記端末数取得部により求められた各前記段階における前記重複領域に在圏し前記第１所定条件を満たす前記無線移動端末装置の数を基に、前記重複領域に在圏する前記無線移動端末装置の数が最小となる前記第１無線エリア及び前記第２無線エリアの構成を決定する
ことを特徴とする請求項１に記載の無線通信システム。
【請求項３】
前記端末数取得部は、前記第２基地局装置に接続する無線移動端末装置における前記第１基地局装置からの信号の受信品質及び前記第１基地局装置に接続する無線移動端末装置における前記第２基地局装置からの信号の受信品質を基に、前記第１所定条件を満たす前記無線移動端末装置を特定することを特徴とする請求項２に記載の無線通信システム。
【請求項４】
前記構成決定部は、決定した構成に変更された前記第１無線エリア及び前記第２無線エリアに在圏する前記無線移動端末装置と前記第１基地局装置及び前記第２基地局装置との間の通信品質を基に、前記重複領域の有無を判定し、前記重複領域が存在しない場合、前記第２無線エリアの大きさを拡大することを特徴とする請求項２又は３に記載の無線通信システム。
【請求項５】
前記第２基地局装置は、
前記第２無線エリアの構成変更の指示を第１構成変更部から受けて、前記第２無線エリアの大きさを段階的に変更する第２構成変更部を備え、
前記第１構成変更部は、前記第２無線エリアの構成変更を前記第２構成変更部へ通知することで前記第２無線エリアの構成変更を行い、
前記端末数取得部は、前記第２無線エリアの大きさの各段階における前記第１無線エリア又は前記第２無線エリアに在圏する前記無線移動端末装置の受信品質を基に、前記重複領域に在圏し第２所定条件を満たす前記無線移動端末装置の数を、前記第２無線エリアの大きさの段階毎に求め、
前記構成決定部は、前記端末数取得部により求められた前記第１無線エリアの大きさの各段階における前記重複領域に在圏し前記第１所定条件を満たす前記無線移動端末装置の数及び前記第２無線エリアの大きさの各段階における前記重複領域に在圏し前記第２所定条件を満たす前記無線移動端末装置の数を基に、前記重複領域に在圏する前記無線移動端末装置の数が最小となるように前記第１無線エリア及び前記第２無線エリアの構成を決定する
ことを特徴とする請求項２〜４のいずれか一つに記載の無線通信システム。
【請求項６】
前記構成決定部は、前記第１無線エリアの大きさの各段階における前記重複領域に在圏する前記無線移動端末装置の数が最小となる段階及び前記第２無線エリアの大きさの各段階における前記重複領域に在圏する前記無線移動端末装置の数が最小となる段階のうち、前記第１無線エリア及び前記第２無線エリアの大きさを変更した場合の前記第１基地局装置と前記第２基地局装置とのそれぞれに接続する前記無線移動端末装置の数の差が小さい方の構成に決定することを特徴とする請求項５に記載の無線通信システム。
【請求項７】
前記第２基地局装置は複数存在し、
前記第１構成変更部は、各前記第２無線エリアを拡大させ、
前記構成決定部は、前記端末数取得部により求められた前記重複領域に在圏する無線移動端末装置の数を基に、分割後の各無線エリアに在圏する無線移動端末装置の数の差が小さくなるように前記第１無線エリアを分割する
ことを特徴とする請求項１に記載の無線通信システム。
【請求項８】
自装置が形成する第１無線エリア又は他の基地局装置が形成する前記第１無線エリアと重複領域を有する第２無線エリアの構成変更を行う構成変更部と、
前記構成変更部により前記構成変更が行われた場合の、前記第１無線エリアと前記第２無線エリアとの重複領域に在圏する無線移動端末装置の数を求める端末数取得部と、
前記端末数取得部により求められた前記重複領域に在圏する無線移動端末装置の数を基に、前記第１無線エリア又は前記第２無線エリアの何れか一つもしくは双方の構成を決定する構成決定部と
を備えたことを特徴とする基地局装置。
【請求項９】
第１無線エリアを形成する第１基地局装置及び前記第１無線エリアと重複領域を有する第２無線エリアを形成する第２基地局装置を有する無線通信システムの制御方法であって、
前記第１無線エリア又は前記第２無線エリアの構成変更を行い、
前記第１無線エリア又は前記第２無線エリアの構成変更を行った場合の、前記第１無線エリアと前記第２無線エリアとの重複領域に在圏する無線移動端末装置の数を求め、
前記重複領域に在圏する無線移動端末装置の数を基に、前記第１無線エリア又は前記第２無線エリアの何れか一つもしくは双方の構成を決定する
ことを特徴とする無線通信システムの制御方法。
【発明の詳細な説明】
【技術分野】
【０００１】
本発明は、無線通信システム、基地局装置及び無線通信システムの制御方法に関する。
【背景技術】
【０００２】
無線通信システムにおいて基地局装置は、その基地局装置を介しての無線通信が可能な範囲である無線エリア（以下では、その一例としてセルと呼ぶ）を有する。このセルを隙間なく配置することで、無線移動端末装置の無線通信が困難となる不感地帯を無くした通信エリアが形成される。
【０００３】
そして、セルを隙間なく配置するために、各基地局装置が形成するセルは、隣接する基地局装置が形成するセルとの間に重複する領域を有する。このようなセルの重複領域に在圏する無線移動端末装置は、重複する各セルを形成する基地局装置の何れからの信号も受信する。そのため、セルの重複領域に在圏する無線移動端末装置においては、接続先の基地局装置からの信号が、接続先の基地局装置以外の基地局装置からの信号の干渉を受け、通信品質が劣化してしまう。
【０００４】
そこで、接続先の基地局装置以外の基地局装置からの干渉を抑え、快適な高速通信を実現するために、アクティブアンテナシステムなどといったセルの形状を自在に制御できる機能が注目されている。このような機能を備えた基地局装置は、セル範囲の変更又はセルの分割などを行うことが可能である。以下では、セル範囲の変更又はセルの分割などを行うことができる基地局装置を、「適応セル構成基地局装置」という。
【０００５】
このような適応セル構成基地局装置として、ビーコンの放射パターンを変更して受信品質を測定し、測定結果を基に放射パターンを決定する従来技術がある。
【先行技術文献】
【特許文献】
【０００６】
【特許文献１】特表２００１−５０５０２５号公報
【発明の概要】
【発明が解決しようとする課題】
【０００７】
しかしながら、従来の適応セル構成基地局装置では、隣接セルとの干渉を抑えるために、セル範囲の変更やセルの分割を最適に行うことが困難である。具体的には、基地局装置がカバーするエリア内、すなわちセル内の無線移動端末装置の配置及び隣接する基地局装置からの干渉状況を把握することが困難であり、以下のような状況が発生する場合がある。
【０００８】
１つには、ある基地局装置に収容された無線移動端末装置における信号の受信強度を上げるために、その基地局装置がセル範囲を拡大した場合、隣接する基地局装置への干渉が増大する場合がある。逆に、ある基地局装置に隣接する基地局装置がセル範囲を拡大した場合、その基地局装置に対する隣接する基地局装置からの干渉が増大する場合がある。
【０００９】
また、１つには、干渉エリアを削減するために、ある基地局装置がセル範囲を縮小したとしても、縮小するサイズが適切でないため無線移動端末装置に対する受信強度が変わらず、無線環境が改善しない場合がある。
【００１０】
また、１つには、無線チャンネルの負荷分散のために、基地局装置のセルを分割した場合、分割した一方のセルに無線移動端末装置が偏って接続され、適切な負荷分散がなされない場合がある。
【００１１】
開示の技術は、上記に鑑みてなされたものであって、セル境界を適切に決定する無線通信システム、基地局装置及び無線通信システムの制御方法を提供することを目的とする。
【課題を解決するための手段】
【００１２】
本願の開示する無線通信システム、基地局装置及び無線通信システムの制御方法は、一つの態様において、第１無線エリアを形成する第１基地局装置及び前記第１無線エリアと重複領域を有する第２無線エリアを形成する第２基地局装置を有する。前記第１基地局装置は、以下の各部を有する。第１構成変更部は、前記第１無線エリア又は前記第２無線エリアの構成変更を行う。端末数取得部は、前記第１構成変更部により前記構成が変更された場合の、前記第１無線エリアと前記第２無線エリアとの重複領域に在圏する無線移動端末装置の数を求める。構成決定部は、前記端末数取得部により求められた前記重複領域に在圏する無線移動端末装置の数を基に、前記第１無線エリア又は前記第２無線エリアの何れか一つもしくは双方の構成を決定する。
【発明の効果】
【００１３】
本願の開示する無線通信システム、基地局装置及び無線通信システムの制御方法の一つの態様によれば、セル境界を適切に決定することができるという効果を奏する。
【図面の簡単な説明】
【００１４】
【図１】図１は、無線通信システムのネットワーク構成図である。
【図２】図２は、基地局装置間のセルの重複を説明するための図である。
【図３】図３は、基地局装置のブロック図である。
【図４】図４は、主導基地局における協調制御部の詳細を表すブロック図である。
【図５】図５は、連携基地局における協調制御部の詳細を表すブロック図である。
【図６】図６は、主導基地局のセルの拡大を説明するための図である。
【図７】図７は、主導基地局のセルを拡大した場合の測定結果を示す図である。
【図８】図８は、連携基地局のセルの拡大を説明するための図である。
【図９】図９は、連携基地局のセルを拡大した場合の測定結果を示す図である。
【図１０】図１０は、変更候補毎の各基地局装置に接続する無線移動端末装置の数を表す図である。
【図１１】図１１は、実施例１に係る通信システムによる最適変更候補の選択の処理のシーケンス図である。
【図１２】図１２は、実施例１に係る通信システムによるセル範囲変更の処理のシーケンス図である。
【図１３】図１３は、変形例１に係る無線通信システムによるセル範囲変更の処理のフローチャートである。
【図１４】図１４は、変形例２に係る無線通信システムによるセル範囲変更の処理のフローチャートである。
【図１５】図１５は、変形例３における変更候補の選択に用いる情報を示す図である。
【図１６】図１６は、実施例２に係る通信システムによる重複領域形成の処理のシーケンス図である。
【図１７】図１７は、実施例３に係る無線通信システムにおけるセルの状態の一例を表す図である。
【図１８】図１８は、実施例３に係る主導基地局の協調制御部のブロック図である。
【図１９】図１９は、連携基地局のセルが拡大された状態を表す図である。
【図２０】図２０は、各連携基地局の干渉を受ける無線移動端末装置の数の一例を表す図である。
【図２１】図２１は、無線移動端末装置の分布図の一例の図である。
【図２２】図２２は、分割後のセルの状態を表す図である。
【図２３】図２３は、実施例３に係る無線通信システムによるセル分割処理のシーケンス図である。
【図２４】図２４は、基地局装置のハードウェア構成図である。
【図２５】図２５は、無線移動端末装置のハードウェア構成図である。
【発明を実施するための形態】
【００１５】
以下に、本願の開示する無線通信システム、基地局装置及び無線通信システムの制御方法の実施例を図面に基づいて詳細に説明する。なお、以下の実施例により本願の開示する無線通信システム、基地局装置及び無線通信システムの制御方法が限定されるものではない。
【実施例１】
【００１６】
図１は、無線通信システムのネットワーク構成図である。図１に示すように、無線通信システム１は、基地局装置１００及び２００を含む複数の基地局装置、無線移動端末装置３００及びコアネットワーク４００を有する。
【００１７】
コアネットワーク４００は、ＥＰＣ（Evolved  Packet  Core）４０を有する。ＥＰＣ４０は、コアネットワーク４００における基地局装置１００及び２００を含む基地局装置との間のインタフェースの役割を担う。ＥＰＣ４０は、例えば、ＭＭＥ（Mobility  Management  Entity）、Ｓ−ＧＷ（Serving  Gateway）、Ｐ−ＧＷ（Packet  Data  Network  Gateway）及びＰＣＲＦ（Policy  and  Charging  Rules  Function）を有する。
【００１８】
基地局装置１００及び２００を含む基地局装置は、各基地局装置が形成するセルに在圏する無線移動端末装置３００と通信を行う。また、基地局装置１００及び２００を含む基地局装置は、互いを接続する基地局間インタフェースを用いて通信を行う。図１では、一例として基地局装置１００から各基地局装置へ延びる経路のみを図示しているが、実際には、各基地局装置は相互に接続する経路を有する。さらに、基地局装置１００及び２００を含む基地局装置は、ＥＰＣ４０を介してコアネットワーク４００との通信を行う。
【００１９】
無線移動端末装置３００は、基地局装置１００及び２００を含む各基地局装置の内、在圏するセルを有する基地局装置に接続する。そして、無線移動端末装置３００は、接続した基地局装置及びコアネットワーク４００を介して他の無線移動端末装置３００と通信を行う。
【００２０】
図２は、基地局装置間のセルの重複を説明するための図である。図２では、基地局装置１００及び２００を例にセルの状態を図示している。
【００２１】
基地局装置１００は、セル１０を有する。また、基地局装置２００は、セル２０を有する。そして、セル１０とセル２０とは、それぞれが重なる重複領域３０を有する。
【００２２】
この状態で、基地局装置１００又は２００に接続する無線移動端末装置３００は、セル１０の重複領域３０以外の領域、セル２０の重複領域３０以外の領域又は重複領域３０の何れかの領域に在圏する。セル１０の重複領域３０以外の領域に在圏する無線移動端末装置３００は、基地局装置１００のみに接続できる。セル２０の重複領域３０以外の領域に在圏する無線移動端末装置３００は、基地局装置２００のみに接続できる。これに対して、重複領域３０に在圏する無線移動端末装置３００は、基地局装置１００又は２００の何れかに接続する。
【００２３】
重複領域３０に在圏する無線移動端末装置３００は、例えば基地局装置１００に接続した場合、基地局装置２００からの信号の干渉を受け、通信品質が劣化する。そこで、重複領域３０に在圏する無線移動端末装置３００の数は、信号の干渉による通信品質の劣化を軽減できるため少ない方が好ましい。そのため、本実施例に係る基地局装置１００及び２００は、信号の干渉による通信品質の劣化を軽減するためにセル１０及び２０の範囲を変更する。以下に、このような基地局装置１００及び２００について詳細に説明する。
【００２４】
図３は、基地局装置のブロック図である。ここでは、基地局装置１００を例に説明するが、基地局装置２００も同様の構成を有する。ただし、協調制御部１０５については、セル範囲の変更を主導する主導基地局と主導基地局の指示を受けてセル範囲の変更を行う連携基地局とでは実行する処理が異なる。そこで、以下の説明では、基地局装置１００が主導基地局であり、基地局装置２００が連携基地局である場合で説明する。ただし、実際には、基地局装置１００及び２００のいずれも主導基地局及び連携基地局の何れの機能も有する。この基地局装置１００が、「第１基地局装置」の一例にあたり、セル１０が、「第１セル」の一例にあたる。また、この基地局装置２００が、「第２基地局装置」の一例にあたり、セル２０が、「第２セル」の一例にあたる。
【００２５】
基地局装置１００は、無線通信部１０１、ベースバンド処理部１０２、呼処理制御部１０３、コアネットワーク基地局インタフェース１０４、協調制御部１０５及びアンテナ１０６を有する。
【００２６】
無線通信部１０１は、無線移動端末装置３００との間の無線通信におけるインタフェースである。無線通信部１０１は、受信部１１１及び送信部１１２を有する。
【００２７】
受信部１１１は、アンテナ１０６を介して無線移動端末装置３００から送出された無線信号を受信する。そして、受信部１１１は、受信した信号をベースバンド処理部１０２へ出力する。
【００２８】
送信部１１２は、無線周波数の信号の入力をベースバンド処理部１０２から受ける。そして、送信部１１２は、アンテナ１０６を介して宛先の無線移動端末装置３００へ無線信号を送信する。
【００２９】
また、無線通信部１０１は、セル１０のセル範囲を変更する場合、変更目標とするセル範囲とするためのアンテナの指向性、並びに、送信電力制御手段及び条件の入力をベースバンド処理部１０２から受ける。そして、無線通信部１０１は、受信した情報を用いてアンテナの指向性の制御及び電力制御を実施する。これにより、後述する協調制御部１０５により決定された変更目標であるセル範囲に、セル１０のセル範囲が変更される。
【００３０】
ベースバンド処理部１０２は、無線信号の周波数を有する信号の入力を受信部１１１から受ける。次に、ベースバンド処理部１０２は、復調を行い受信した信号の周波数を変更してベースバンド信号を生成する。さらに、ベースバンド処理部１０２は、生成したベースバンド信号に対して復号化処理を施す。その後、ベースバンド処理部１０２は、復号化処理を施したベースバンド信号を呼処理制御部１０３へ出力する。
【００３１】
また、ベースバンド処理部１０２は、ベースバンド信号の入力を呼処理制御部１０３から受ける。次に、ベースバンド処理部１０２は、受信したベースバンド信号に対して符号化処理を施す。さらに、ベースバンド処理部１０２は、符号化処理を施したベースバンド信号に対して変調を行い周波数を変更して無線信号を生成する。その後、ベースバンド処理部１０２は、生成した無線信号を送信部１１２へ出力する。
【００３２】
また、ベースバンド処理部１０２は、セル範囲の変更を行う場合、変更目標とするセル範囲へのセル１０のセル範囲の変更の指示を呼処理制御部１０３から受ける。そして、ベースバンド処理部１０２は、セル１０が変更目標とするセル範囲となるようにアンテナの指向性、並びに、送信電力制御手段及び条件を決定する。そして、ベースバンド処理部１０２は、決定したアンテナの指向性、並びに、送信電力制御手段及び条件を無線通信部１０１へ通知する。
【００３３】
呼処理制御部１０３は、予め設定された呼設定を用いて、無線移動端末装置３００や通信リソースなどの制御などの無線通信や音声通信に関する呼処理全般の制御を行う。例えば、呼処理制御部１０３は、無線移動端末装置３００のハンドオーバなどの基地局装置１００と無線移動端末装置３００との接続管理を行う。また、呼処理制御部１０３は、メジャメントレポートなどのＬ（Layer）３メッセージの終端を行う。
【００３４】
呼処理制御部１０３は、信号をベースバンド処理部１０２から受信する。そして、呼処理制御部１０３は、コアネットワーク４００及び他の基地局装置へ送る信号をコアネットワーク基地局インタフェース１０４へ出力する。また、呼処理制御部１０３は、コアネットワーク４００又は他の基地局装置から信号を受信する。そして、呼処理制御部１０３は、無線移動端末装置３００へ送信する信号をベースバンド処理部１０２へ出力する。
【００３５】
また、呼処理制御部１０３は、変更目標とするセル１０のセル範囲の情報の入力を協調制御部１０５から受ける。そして、呼処理制御部１０３は、変更目標とするセル範囲へのセル１０のセル範囲の変更をベースバンド処理部１０２へ指示する。
【００３６】
コアネットワーク基地局インタフェース１０４は、基地局装置１００がコアネットワーク４００と通信を行う際のインタフェースである。
【００３７】
協調制御部１０５は、セル範囲の変更を決定するための処理の制御を行う。具体的には、主導基地局である基地局装置１００における協調制御部１０５は、セル１０及び２０のセル範囲を段階的に変化させて、各段階での重複領域３０における無線移動端末装置３００の信号の受信状態から最適なセル範囲を決定する。
【００３８】
ただし、セル２０のセル範囲の変更は、実際には、連携基地局である基地局装置２００の協調制御部１０５が、基地局装置１００における協調制御部１０５からの指示にしたがって実行する。
【００３９】
そこで、以下に主導基地局である基地局装置１００における協調制御部１０５及び連携基地局である基地局装置２００の協調制御部１０５の詳細について説明する。図４は、主導基地局における協調制御部の詳細を表すブロック図である。また、図５は、連携基地局における協調制御部の詳細を表すブロック図である。
【００４０】
図４に示すように、主導基地局である基地局装置１００の協調制御部１０５は、開始判定部１５１、構成管理部１５２、受信品質取得部１５３、端末数取得部１５４及び構成決定部１５５を有する。
【００４１】
開始判定部１５１は、無線移動端末装置３００が重複領域３０に在圏するか否かを判定するための基地局装置１００及び２００からの受信強度の閾値を予め有する。また、開始判定部１５１は、セル範囲の変更を開始するか否かを判定するための開始判定閾値を予め有する。
【００４２】
開始判定部１５１は、基地局装置１００に収容された無線移動端末装置３００からのメジャメントレポートを呼処理制御部１０３から取得する。次に、開始判定部１５１は、取得したメジャメントレポートに登録された基地局装置１００及び２００からの受信強度を取得する。そして、開始判定部１５１は、取得した各受信強度が閾値以上か否かを判定する。各受信強度が閾値以上の場合、開始判定部１５１は、そのメジャメントレポートの送信元である無線移動端末装置３００が重複領域３０に在圏すると判定する。開始判定部１５１は、基地局装置１００に接続する全ての無線移動端末装置３００について重複領域３０に在圏するか否かの判定を行い、基地局装置１００に接続し且つ重複領域３０に在圏する無線移動端末装置３００の数を求める。
【００４３】
開始判定部１５１は、求めた重複領域３０に在圏する無線移動端末装置３００の数の増加を検出した場合、基地局装置２００に接続し且つ重複領域３０に在圏する無線移動端末装置３００の数を呼処理制御部１０３を介して基地局装置２００に問い合わせる。
【００４４】
ここで、開始判定部１５１は、重複領域３０を有する基地局装置が複数ある場合、その複数の基地局装置の中からセル範囲の変更の対象とする基地局装置２００を１つ選択する。例えば、開始判定部１５１は、セル１０と重複領域３０を有する全ての基地局装置について接続する無線移動端末装置３００の数を取得し、その中で最も少ない接続数を有する基地局装置をセル範囲の変更の対象とする基地局装置２００として選択してもよい。また、開始判定部１５１は、予めセル１０と重複領域３０を有する基地局装置に優先順位を持っておいて、その優先順位を用いてセル範囲の変更の対象とする基地局装置２００の選択を行ってもよい。
【００４５】
その後、開始判定部１５１は、基地局装置２００に接続し且つ重複領域３０に在圏する無線移動端末装置３００の数を呼処理制御部１０３を介して取得する。そして、開始判定部１５１は、基地局装置１００に接続し且つ重複領域３０に在圏する無線移動端末装置３００の数と基地局装置２００に接続し且つ重複領域３０に在圏する無線移動端末装置３００の数との合計を求める。この合計数が、その時に重複領域３０に在圏する無線移動端末装置３００の数である。
【００４６】
開始判定部１５１は、算出した合計数が開始判定閾値以上か否かを判定する。合計数が開始判定閾値未満の場合、開始判定部１５１は、セル範囲の変更の不実行を決定する。これに対して、合計数が開始判定閾値以上の場合、開始判定部１５１は、セル範囲の変更の開始を決定する。そして、開始判定部１５１は、セル範囲の変更の開始を構成管理部１５２へ指示する。ここで、開始判定閾値は、例えば、基地局装置１００のスループットを基準として決定される。具体的には、基地局装置１００のスループットが低下すると考えられる基地局装置１００が収容可能な数に対する重複領域３０に在圏する無線移動端末装置３００の割合が、開始判定閾値とされる。
【００４７】
構成管理部１５２は、セル１０のセル範囲の段階的な変更を行うための、各段階におけるセル１０のセル範囲を予め記憶する。構成管理部１５２は、セル範囲の変更の実行の指示を開始判定部１５１から受ける。ここで、セル範囲の変更は、セルの構成の変更であり、「無線エリアの構成変更」の一例にあたる。このように、無線エリアの構成変更には、セルの拡大や縮小を含むセル範囲の変更や、セルの分割や結合、重畳状態の変更などが含まれる。
【００４８】
構成管理部１５２は、構成変更前のセル１０の状態で、受信品質取得部１５３に対して受信品質の測定を指示する。また、構成管理部１５２は、受信品質の測定要求を呼処理制御部１０３を介して基地局装置２００へ送信する。次に、構成管理部１５２は、セル１０を拡大する方向での変更前のセル１０の次の段階のセル範囲の情報を、記憶するセル範囲の中から取得する。そして、構成管理部１５２は、セル１０のセル範囲を取得したセル範囲への変更を呼処理制御部１０３へ指示する。
【００４９】
その後、構成管理部１５２は、受信品質取得部１５３に対して受信品質の測定を指示する。また、構成管理部１５２は、受信品質の測定要求を呼処理制御部１０３を介して基地局装置２００へ送信する。次に、構成管理部１５２は、さらに１段階拡大したセル範囲の情報を取得し、呼処理制御部１０３へセル範囲の拡大を指示する。構成管理部１５２は、セル１０のセル範囲を段階的に拡大しながら、受信品質の測定の依頼を所定回数繰り返す。
【００５０】
また、構成管理部１５２は、セル１０のセル範囲の拡大を所定回数繰り返した後、セル２０の段階的な拡大の通知を呼処理制御部１０３を介して基地局装置２００へ送信する。
【００５１】
その後、構成管理部１５２は、最適変更候補の通知を構成決定部１５５から受ける。最適変更候補がセル１０のセル範囲の場合、構成管理部１５２は、最適変更候補であるセル１０のセル範囲の情報を呼処理制御部１０３に通知する。さらに、構成管理部１５２は、最適変更候補であるセル１０のセル範囲に対応するセル範囲へのセル２０の変更の通知を呼処理制御部１０３を介して基地局装置２００へ送信する。
【００５２】
また、構成管理部１５２は、セル２０のセル範囲に対応するセル１０のセル範囲を有する。最適変更候補がセル２０のセル範囲の場合、構成管理部１５２は、最適変更候補であるセル２０のセル範囲に対応するセル１０のセル範囲を取得する。そして、構成管理部１５２は、取得した最適変更候補であるセル２０のセル範囲に対応するセル範囲へのセル１０の変更の指示を呼処理制御部１０３へ通知する。さらに、構成管理部１５２は、最適変更候補へのセル２０のセル範囲の変更の通知を呼処理制御部１０３を介して基地局装置２００へ送信する。
【００５３】
その後、構成管理部１５２は、基地局装置１００に接続する無線移動端末装置３００の受信品質の測定を受信品質取得部１５３へ指示する。また、構成管理部１５２は、基地局装置２００に接続する無線移動端末装置３００の受信品質の測定を基地局装置２００へ呼処理制御部１０３を介して送信する。この構成管理部１５２が、「第１構成変更部」の一例にあたる。
【００５４】
受信品質取得部１５３は、セル１０の段階的な拡大の場合及びセル２０の段階的な拡大の何れの場合も、各段階を拡大したタイミングで受信品質の測定の指示を構成管理部１５２から受ける。そして、受信品質取得部１５３は、各段階においてＣＳＩ（Channel  State  Information）測定依頼を呼処理制御部１０３を介して、基地局装置１００に接続する無線移動端末装置３００へ送信する。この時、受信品質取得部１５３は、セル範囲の拡大のタイミングに合わせてＣＳＩ測定要求を送信する。その後、受信品質取得部１５３は、各段階における基地局装置１００に接続する無線移動端末装置３００からＣＳＩ測定結果報告を呼処理制御部１０３を介して受信する。そして、受信品質取得部１５３は、ＣＳＩ測定結果報告から各段階における基地局装置１００に接続する無線移動端末装置３００の受信品質を取得する。
【００５５】
ここで、受信品質には、例えば、受信強度、並びに、ＲＳＲＰ（Reference  Signal  Received  Power）及びＲＳＲＱ（Reference  Signal  Received  Quality）などのノイズの情報が含まれる。また、受信品質には、基地局装置１００に接続する無線移動端末装置３００における基地局装置２００からの信号の受信品質も含まれる。
【００５６】
そして、受信品質取得部１５３は、各段階における基地局装置１００に接続する無線移動端末装置３００の受信品質を端末数取得部１５４へ出力する。
【００５７】
端末数取得部１５４は、各段階における基地局装置１００に接続する無線移動端末装置３００の受信品質の入力を受信品質取得部１５３から受ける。また、端末数取得部１５４は、基地局装置２００から送信された各段階における基地局装置２００に接続する無線移動端末装置３００の受信品質の情報を呼処理制御部１０３から取得する。この受信品質には、基地局装置２００に接続する無線移動端末装置３００における基地局装置１００からの信号の受信品質も含まれる。
【００５８】
そして、端末数取得部１５４は、各段階における各無線移動端末装置３００での受信強度を用いて、例えば、基地局装置１００に接続する無線移動端末装置３００の数及び基地局装置２００に接続する無線移動端末装置３００の数を求める。また、端末数取得部１５４は、段階毎に、基地局装置１００に接続する無線移動端末装置３００における基地局装置２００からの信号の受信強度及び基地局装置２００に接続する無線移動端末装置３００における基地局装置１００からの信号の受信強度を取得する。
【００５９】
ここで、端末数取得部１５４は、無線移動端末装置３００をグループ化するための受信強度の閾値であるグループ化閾値を有する。本実施例では、端末数取得部１５４は、第１グループ化閾値及び第１グループ化閾値より高い第２グループ化閾値を有する。ここで、本実施例では、受信強度によって３つのグループに分けたが、グループの数に特に制限はない。
【００６０】
端末数取得部１５４は、セル１０の拡大の場合における基地局装置２００に接続する無線移動端末装置３００を、基地局装置１００からの信号の受信品質を用いて以下の３グループに分ける。この３グループは、受信品質が第１グループ化閾値未満のグループ、第１グループ化閾値以上第２グループ化閾値未満のグループ及び第２グループ化閾値以上のグループの３つのグループである。以下では、基地局装置１００からの信号の受信品質が第１グループ化閾値未満のグループを「干渉小グループ」とする。また、基地局装置１００からの信号の受信品質が第１グループ化閾値以上第２グループ閾値未満のグループを「干渉中グループ」とする。また、基地局装置１００からの信号の受信品質が第２グループ化閾値以上のグループを「干渉大グループ」とする。
【００６１】
そして、端末数取得部１５４は、セル１０の拡大の各段階における干渉小グループ、干渉中グループ及び干渉大グループのそれぞれに属する無線移動端末装置３００の数を取得する。次に、端末数取得部１５４は、取得した干渉小グループ、干渉中グループ及び干渉大グループのそれぞれに属する無線移動端末装置３００の数を構成決定部１５５に通知する。
【００６２】
また、端末数取得部１５４は、セル２０の拡大の場合における、基地局装置１００に接続する無線移動端末装置３００の基地局装置２００からの信号の受信品質を用いて上記３グループに分ける。
【００６３】
そして、端末数取得部１５４は、セル２０の拡大の各段階における干渉小グループ、干渉中グループ及び干渉大グループのそれぞれに属する無線移動端末装置３００の数を取得する。次に、端末数取得部１５４は、取得した干渉小グループ、干渉中グループ及び干渉大グループのそれぞれに属する無線移動端末装置３００の数を構成決定部１５５に通知する。
【００６４】
構成決定部１５５は、セル１０の拡大の場合及びセル２０の拡大の場合の干渉小グループ、干渉中グループ及び干渉大グループのそれぞれに属する無線移動端末装置３００の数の通知を端末数取得部１５４から受ける。ここで、干渉大グループに属することが、「第１所定条件」及び「第２所定条件」の一例にあたる。
【００６５】
次に、構成決定部１５５は、セル１０の拡大の場合の各段階の間の干渉大グループに属する無線移動端末装置３００の数の差を求める。そして、構成決定部１５５は、１段階前のセル範囲との干渉大グループに属する無線移動端末装置３００の数の差が所定値以下になるセル１０のセル範囲を選択する。構成決定部１５５は、選択したセル１０のセル範囲をセル１０の拡大側の変更候補とする。
【００６６】
また、構成決定部１５５は、セル２０の拡大の場合の各段階の間の干渉大グループに属する無線移動端末装置３００の数の差を求める。そして、構成決定部１５５は、１段階前のセル範囲との干渉大グループに属する無線移動端末装置３００の数の差が所定値以下になるセル２０のセル範囲を選択する。構成決定部１５５は、選択したセル２０のセル範囲をセル２０の拡大側の変更候補とする。
【００６７】
次に、構成決定部１５５は、セル１０の拡大側の変更候補及びセル２０の拡大側の変更候補の中から、１つの変更候補を最適変更候補として選出する。具体的には、セル１０の拡大側の変更候補及びセル２０の拡大側の変更候補の中に１つの変更候補しかない場合、構成決定部１５５は、その変更候補を最適変更候補として選出する。
【００６８】
これに対して、複数の変更候補がある場合、構成決定部１５５は、各変更候補についてセル範囲を変更した後の基地局装置１００及び２００のそれぞれに接続する無線移動端末装置３００の数の予測値を求める。そして、構成決定部１５５は、求めた無線移動端末装置３００の数の予測値を用いて最適変更候補を選出する。
【００６９】
例えば、構成決定部１５５は、各変更候補にセル範囲を変更した後の基地局装置１００及び２００のそれぞれに接続する無線移動端末装置３００の数が最も近くなる変更候補を最適変更候補とする。すなわち、構成決定部１５５は、求めた各変更候補にセル範囲を変更した後の基地局装置１００及び２００のそれぞれに接続する無線移動端末装置３００の数の予測値の差を求め、差が最小になる変更候補を最適変更候補とする。ここで、最小となる変更候補が複数ある場合、構成決定部１５５は、適当に１つを選択してもよいし、現在のセル範囲に近い方を選択するなど他の条件により絞り込んでもよい。さらには、この時に、構成決定部１５５は、受信品質の中のＲＳＲＰやＲＳＲＱといったノイズの情報を用いて変更候補の絞り込みを行ってもよい。
【００７０】
そして、構成決定部１５５は、最適変更候補であるセル範囲の情報を構成管理部１５２に通知する。ここで、構成決定部１５５は、セル１０の拡大側の変更候補を最適変更候補として選んだ場合、最適変更候補となるセル１０のセル範囲を通知し、逆に、セル２０の拡大側の変更候補を最適変更候補として選んだ場合、最適変更候補となるセル２０のセル範囲を通知する。
【００７１】
最適変更候補の通知後、構成決定部１５５は、基地局装置１００に接続する無線移動端末装置３００の受信品質の測定結果を受信品質取得部１５３から取得する。また、構成決定部１５５は、基地局装置２００に接続する無線移動端末装置３００の受信品質の測定結果を基地局装置２００から呼処理制御部１０３を介して受信する。そして、構成決定部１５５は、取得した受信品質の測定結果からセル範囲の変更を確認する。
【００７２】
次に、図５を参照して連携基地局である基地局装置２００の協調制御部１０５について説明する。基地局装置２００の協調制御部１０５は、図５に示すように、構成管理部１５７及び受信品質取得部１５８を有する。
【００７３】
セル２０の拡大の場合、構成管理部１５７は、基地局装置１００の構成管理部１５２から送信されたセル２０の段階的な拡大の通知を基地局装置２００の呼処理制御部１０３から受ける。そして、構成管理部１５７は、セル２０のセル範囲の段階的な拡大を所定回数繰り返す。また、構成管理部１５７は、受信品質の取得を受信品質取得部１５８に指示する。
【００７４】
また、構成管理部１５７は、セル１０のセル範囲に対応するセル２０のセル範囲を予め記憶する。構成管理部１５７は、セル１０の拡大側の変更候補が最適変更候補として選択された場合、最適変更候補であるセル１０のセル範囲に対応するセル範囲へのセル２０の変更の通知を呼処理制御部１０３から受ける。そして、構成管理部１５７は、通知されたセル１０のセル範囲に対応するセル２０のセル範囲を取得する。その後、構成管理部１５７は、取得したセル範囲への変更を呼処理制御部１０３へ指示する。
【００７５】
一方、セル２０の拡大側の変更候補が最適変更候補として選択された場合、構成管理部１５７は、最適変更候補であるセル２０のセル範囲への変更の通知を呼処理制御部１０３から受ける。そして、構成管理部１５７は、指定されたセル範囲へのセル２０の変更を呼処理制御部１０３へ指示する。
【００７６】
構成管理部１５７からのセル２０の変更の指示を受けて、呼処理制御部１０３、ベースバンド処理部１０２及び無線通信部１０１は、基地局装置１００のセル１０の変更と同様の動作を行うことで、セル２０を変更する。これにより、協調制御部１０５により指定されたセル範囲に、セル２０のセル範囲が変更される。この構成管理部１５７が、「第２構成変更部」の一例にあたる。
【００７７】
受信品質取得部１５８は、セル１０の拡大の場合、基地局装置１００の構成管理部１５２が送出した受信品質取得の指示を呼処理制御部１０３から受ける。また、セル２０の拡大の場合、受信品質取得部１５８は、受信品質取得の指示を構成管理部１５７から受ける。
【００７８】
受信品質取得の通知を受けると、受信品質取得部１５８は、セル１０又は２０の拡大のタイミングに合わせて、基地局装置２００に接続する全ての無線移動端末装置３００に対してＣＳＩ測定要求を呼処理制御部１０３を介して送信する。その後、受信品質取得部１５８は、各無線移動端末装置３００が送信したＣＳＩ測定結果報告を呼処理制御部１０３から取得する。そして、受信品質取得部１５８は、ＣＳＩ測定結果報告から各無線移動端末装置３００における受信品質の情報を取得する。
【００７９】
所定回数の受信品質の取得を繰り返したのち、受信品質取得部１５８は、受信品質の取得を終了する。そして、受信品質取得部１５８は、取得した各段階における基地局装置２００に接続する全ての無線移動端末装置３００の受信品質の情報を呼処理制御部１０３を介して基地局装置１００へ送信する。
【００８０】
次に、図６及び７を参照して、セル１０の段階的な拡大による変更候補の決定についてさらに詳細に説明する。図６は、主導基地局のセルの拡大を説明するための図である。また、図７は、主導基地局のセルを拡大した場合の測定結果を示す図である。
【００８１】
ここでは、図６に示すように、セル１０及びセル２０の中に１９台の無線移動端末装置３００が在圏し、セル拡大前にはその内１０台が基地局装置１００に接続し、９台が基地局装置２００に接続する。図６では、黒円が基地局装置１００に接続する無線移動端末装置３００を表し、白円が基地局装置２００に接続する無線移動端末装置３００を表す。そして、セル範囲１１が変更前のセル１０のセル範囲を表し、セル範囲１２〜１４が段階的に拡大されたセル１０のセル範囲を表す。
【００８２】
セル変更前のセル１０のセル範囲がセル範囲１１の場合に、端末数取得部１５４は、基地局装置１００に接続する無線移動端末装置３００の受信品質の情報を取得する。また、端末数取得部１５４は、基地局装置２００に接続する無線移動端末装置３００の受信品質の情報を取得する。そして、端末数取得部１５４は、基地局装置２００に接続する無線移動端末装置３００における基地局装置１００からの信号の受信強度を取得する。次に、端末数取得部１５４は、受信強度を用いて基地局装置２００に接続する無線移動端末装置３００をグループ分けする。
【００８３】
基地局装置１００の構成管理部１５２は、セル範囲の変更開始の通知を受けると、１段階セル１０を拡大し、セル１０のセル範囲をセル範囲１２にする。端末数取得部１５４は、セル範囲１２の場合の、基地局装置２００に接続する無線移動端末装置３００における基地局装置１００からの信号の受信強度を取得する。そして、端末数取得部１５４は、基地局装置２００に接続する無線移動端末装置３００をグループ分けする。
【００８４】
次に、構成管理部１５２は、さらに１段階セル１０を拡大し、セル１０のセル範囲をセル範囲１３にする。そして、端末数取得部１５４は、セル範囲１３の場合の、基地局装置２００に接続する無線移動端末装置３００における基地局装置１００からの信号の受信強度を取得する。そして、端末数取得部１５４は、基地局装置２００に接続する無線移動端末装置３００をグループ分けする。
【００８５】
次に、構成管理部１５２は、さらに１段階セル１０を拡大し、セル１０のセル範囲をセル範囲１４にする。そして、端末数取得部１５４は、セル範囲１４の場合の、基地局装置２００に接続する無線移動端末装置３００における基地局装置１００からの信号の受信強度を取得する。そして、端末数取得部１５４は、基地局装置２００に接続する無線移動端末装置３００をグループ分けする。
【００８６】
構成決定部１５５は、セル１０をセル範囲１１〜１４とした各段階での基地局装置２００に接続する無線移動端末装置３００の各グループに属する数を端末数取得部１５４から取得する。構成決定部１５５が取得した各段階において各グループに属する無線移動端末装置３００の数をまとめると、図７に表される表となる。
【００８７】
ここでは、構成決定部１５５は、干渉大グループに属する無線移動端末装置３００がセル範囲の拡大の前後で変化しない場合の拡大後のセル範囲を変更候補とする。この場合、図７に示すように、セル範囲１２の場合の干渉大グループに属する無線移動端末装置３００の数は、欄３０１に示すように２台である。また、セル範囲１３の場合の干渉大グループに属する無線移動端末装置３００の数は、欄３０２に示すように２台である。すなわち、セル範囲１２の場合とセル範囲１３の場合との干渉大グループに属する無線移動端末装置３００の数が等しい。そこで、構成決定部１５５は、セル範囲１３をセル１０の拡大側の変更候補とする。ここでは、セル１０がセル範囲１３である場合の変更候補を「第１の変更候補」という。
【００８８】
次に、図８及び９を参照して、セル２０の段階的な拡大による変更候補の決定について説明する。図８は、連携基地局のセルの拡大を説明するための図である。また、図９は、連携基地局のセルを拡大した場合の測定結果を示す図である。
【００８９】
基地局装置１００の構成管理部１５２は、セル１０の拡大を所定回数行った後、セル２０の拡大に移る。この場合、構成管理部１５２は、セル２０の段階的な拡大の指示を基地局装置２００へ送信する。
【００９０】
セル変更前のセル２０のセル範囲がセル範囲２１の状態で、端末数取得部１５４は、基地局装置１００に接続する無線移動端末装置３００における基地局装置２００からの信号の受信強度を取得する。そして、端末数取得部１５４は、基地局装置１００に接続する無線移動端末装置３００をグループ分けする。
【００９１】
次に、基地局装置２００の構成管理部１５７は、１段階セル２０を拡大し、セル２０のセル範囲をセル範囲２２とする。端末数取得部１５４は、セル範囲２２の場合の、基地局装置１００に接続する無線移動端末装置３００における基地局装置２００からの信号の受信強度を取得する。そして、端末数取得部１５４は、基地局装置１００に接続する無線移動端末装置３００をグループ分けする。
【００９２】
次に、構成管理部１５７は、さらに１段階セル２０を拡大し、セル２０のセル範囲をセル範囲２３にする。そして、端末数取得部１５４は、セル範囲２３の場合の、基地局装置１００に接続する無線移動端末装置３００における基地局装置２００からの信号の受信強度を取得する。そして、端末数取得部１５４は、基地局装置１００に接続する無線移動端末装置３００をグループ分けする。
【００９３】
次に、構成管理部１５７は、さらに１段階セル２０を拡大し、セル２０のセル範囲をセル範囲２４にする。そして、端末数取得部１５４は、セル範囲２４の場合の、基地局装置１００に接続する無線移動端末装置３００における基地局装置２００からの信号の受信強度を取得する。そして、端末数取得部１５４は、基地局装置１００に接続する無線移動端末装置３００をグループ分けする。
【００９４】
構成決定部１５５は、セル２０をセル範囲２１〜２４とした各段階での基地局装置１００に接続する無線移動端末装置３００の各グループに属する数を端末数取得部１５４から取得する。構成決定部１５５が取得した各段階において各グループに属する無線移動端末装置３００の数をまとめると、図９に示す表となる。
【００９５】
この場合、図９に示すように、セル範囲２３の場合の干渉大グループに属する無線移動端末装置３００の数は、欄３１１に示すように５台である。また、セル範囲２４の場合の干渉大グループに属する無線移動端末装置３００の数は、欄３１２に示すように５台である。すなわち、セル範囲２３の場合とセル範囲２４の場合との干渉大グループに属する無線移動端末装置３００の数が等しい。そこで、構成決定部１５５は、セル範囲２４をセル２０の拡大側の変更候補とする。ここでは、セル２０がセル範囲２４である場合の変更候補を「第２の変更候補」という。
【００９６】
図１０は、変更候補毎の各基地局装置に接続する無線移動端末装置の数を表す図である。構成決定部１５５は、セル１０がセル範囲１３であり、セル２０がセル範囲１３に対応するセル範囲である場合の基地局装置１００及び基地局装置２００に接続する無線移動端末装置３００の数を予測する。また、構成決定部１５５は、セル２０がセル範囲２４であり、セル１０がセル範囲２４に対応するセル範囲である場合の基地局装置１００及び基地局装置２００に接続する無線移動端末装置３００の数を予測する。
【００９７】
ここでは、図１０に示すように、第１の変更候補の場合、構成決定部１５５は、基地局装置１００に接続する無線移動端末装置３００の数を１２台と予測し、基地局装置２００に接続する無線移動端末装置３００を７台と予測する。また、第２の変更候補の場合、構成決定部１５５は、基地局装置１００に接続する無線移動端末装置３００を５台と予測し、基地局装置２００に接続する無線移動端末装置３００を１４台と予測する。そして、構成決定部１５５は、各基地局装置に接続する無線移動端末装置３００の数の差を算出する。すなわち、図１０のように予測した場合、構成決定部１５５によって、第１の変更候補の場合の無線移動端末装置３００の数の差は、５台と算出される。これに対して、第２の変更候補の場合の無線移動端末装置３００の数の差は、構成決定部１５５によって９台と算出される。第１の変更候補の方が第２の変更候補よりも差が小さいため、構成決定部１５５は、第１の変更候補を最適変更候補として決定する。図１０では、最適変更候補と選択された変更候補の欄に丸を付し、それ以外の変更候補にバツを付している。このようにして、構成決定部１５５は、最適変更候補を求める。
【００９８】
次に、図１１を参照して、本実施例に係る通信システムによる最適変更候補の選択の処理の流れについて説明する。図１１は、実施例１に係る通信システムによる最適変更候補の選択の処理のシーケンス図である。図１１は下に向かうにしたがい時間が経過することを表す。図１１では、基地局装置２００においてまずセル範囲変更を行わないと判定され、次に、基地局装置１００においてセル範囲変更を開始すると判定された場合で説明する。また、ここでは、基地局装置１００に接続する無線移動端末装置３００を無線移動端末装置＃１−１〜＃１−ｍとし、基地局装置２００に接続する無線移動端末装置３００を無線移動端末装置＃２−１〜＃２−ｎとする。この場合、基地局装置２００は、図４に示す主導基地局としての機能も有し、基地局装置１００は、図５に示す連携基地局としての機能も有するものとする。
【００９９】
基地局装置２００の開始判定部１５１は、無線移動端末装置＃２−１〜＃２−ｎから送られたメジャメントレポートを呼処理制御部１０３から受信する（ステップＳ１０１）。
【０１００】
重複領域３０に在圏する無線移動端末装置３００が増加した場合、基地局装置２００の開始判定部１５１は、重複領域３０に在圏する基地局装置１００に接続する無線移動端末装置３００の数の確認の通知を基地局装置１００へ送信する（ステップＳ１０２）。
【０１０１】
そして、基地局装置１００の協調制御部１０５は、メジャメントレポートから重複領域３０に在圏する基地局装置１００に接続する無線移動端末装置３００の数を求める。次に、基地局装置１００の協調制御部１０５は、重複領域３０に在圏する基地局装置１００に接続する無線移動端末装置３００の数を基地局装置２００へ通知する（ステップＳ１０３）。
【０１０２】
基地局装置２００の開始判定部１５１は、重複領域３０に在圏する基地局装置１００に接続する無線移動端末装置３００の数を取得する。そして、基地局装置２００の開始判定部１５１は、重複領域３０に在圏する基地局装置１００に接続する無線移動端末装置３００の数及び重複領域３０に在圏する基地局装置２００に接続する無線移動端末装置３００の数の合計が開始判定閾値以上か否かによりセル範囲の変更を開始するか否かを判定する。ここでは、重複領域３０に在圏する無線移動端末装置３００の数が開始判定閾値を下回った場合で説明する。基地局装置２００の開始判定部１５１は、セル範囲変更の不実行を決定する（ステップＳ１０４）。
【０１０３】
基地局装置１００の開始判定部１５１は、無線移動端末装置＃１−１〜＃１−ｍから送られたメジャメントレポートを呼処理制御部１０３から受信する（ステップＳ１０５）。
【０１０４】
重複領域３０に在圏する無線移動端末装置３００が増加した場合、基地局装置１００の開始判定部１５１は、重複領域３０に在圏する基地局装置２００に接続する無線移動端末装置３００の数の確認の通知を基地局装置２００へ送信する（ステップＳ１０６）。
【０１０５】
そして、基地局装置２００の協調制御部１０５は、メジャメントレポートから重複領域３０に在圏する基地局装置２００に接続する無線移動端末装置３００の数を求める。次に、基地局装置２００の協調制御部１０５は、重複領域３０に在圏する基地局装置２００に接続する無線移動端末装置３００の数を基地局装置１００へ通知する（ステップＳ１０７）。
【０１０６】
基地局装置１００の開始判定部１５１は、重複領域３０に在圏する基地局装置２００に接続する無線移動端末装置３００の数を取得する。そして、基地局装置１００の開始判定部１５１は、重複領域３０に在圏する基地局装置１００及び２００に接続する無線移動端末装置３００の数の合計が開始判定閾値以上か否かによりセル範囲の変更を開始するか否かを判定する。ここでは、重複領域３０に在圏する無線移動端末装置３００の数が開始判定閾値以上の場合で説明する。基地局装置１００の開始判定部１５１は、セル範囲変更の開始を決定する（ステップＳ１０８）。開始判定部１５１は、セル範囲の変更の開始を構成管理部１５２へ通知する。
【０１０７】
基地局装置１００の構成管理部１５２は、受信品質測定を基地局装置１００の受信品質取得部１５３へ指示する。また、構成管理部１５２は、受信品質測定依頼を基地局装置２００の受信品質取得部１５８へ送信する（ステップＳ１０９）。
【０１０８】
次に、基地局装置１００の受信品質取得部１５３は、ＣＳＩ（Channel  State  Information）測定要求を無線移動端末装置＃１−１〜＃１−ｍへ送信する（ステップＳ１１０）。
【０１０９】
また、基地局装置２００の受信品質取得部１５８は、ＣＳＩ測定要求を無線移動端末装置＃２−１〜＃２−ｎへ送信する（ステップＳ１１１）。
【０１１０】
無線移動端末装置＃１−１〜＃１−ｍは、ＣＳＩ測定結果報告を基地局装置１００に送信する（ステップＳ１１２）。基地局装置１００の受信品質取得部１５３は、無線移動端末装置＃１−１〜＃１−ｍのＣＳＩ測定結果報告を基地局装置１００の呼処理制御部１０３から取得する。
【０１１１】
無線移動端末装置＃２−１〜＃２−ｎは、ＣＳＩ測定結果報告を基地局装置２００へ送信する（ステップＳ１１３）。基地局装置２００の受信品質取得部１５８は、無線移動端末装置＃２−１〜＃２−ｎのＣＳＩ測定結果報告を基地局装置２００の呼処理制御部１０３から取得する。
【０１１２】
次に、基地局装置１００の構成管理部１５２は、セル１０を段階的に拡大する。そして、セル１０を１段階拡大する毎に、基地局装置１００及び２００は、ステップＳ１１０〜Ｓ１１３を繰り返す（ステップＳ１１４）。そして、セル１０の拡大が所定回数行われ、セル１０の拡大が終了すると、次に、基地局装置２００の構成管理部１５７は、セル２０を段階的に拡大する。そして、セル２０を１段階拡大する毎に、基地局装置１００及び２００は、ステップＳ１１０〜Ｓ１１３を繰り返す（ステップＳ１１５）。
【０１１３】
そして、セル２０の拡大が所定回数行われ、セル２０の拡大が終了すると、基地局装置１００の端末数取得部１５４は、測定結果要求を基地局装置２００の受信品質取得部１５８へ送信する（ステップＳ１１６）。
【０１１４】
測定結果要求を受けて、基地局装置２００の受信品質取得部１５８は、取得した各段階における無線移動端末装置＃２−１〜＃２−ｎの受信品質の情報を基地局装置１００の端末数取得部１５４へ送信することで測定結果報告を行う（ステップＳ１１７）。
【０１１５】
基地局装置１００の端末数取得部１５４は、各段階における無線移動端末装置＃１−１〜＃１−ｍの受信品質の情報を受信品質取得部１５３から取得する。また、端末数取得部１５４は、基地局装置２００の受信品質取得部１５８から送信された各段階における無線移動端末装置＃２−１〜＃２−ｎの受信品質の情報を取得する。そして、端末数取得部１５４は、測定結果である各段階における無線移動端末装置＃１−１〜＃１−ｍ及び＃２−１〜＃２−ｎの受信品質の情報を集約する（ステップＳ１１８）。さらに、端末数取得部１５４は、グループ化閾値を用いて各段階の無線移動端末装置＃１−１〜＃１−ｍ及び＃２−１〜＃２−ｎをグループ分けし、各グループに属する台数を取得する。その後、端末数取得部１５４は、グループ分けした各段階における無線移動端末装置＃１−１〜＃１−ｍ及び＃２−１〜＃２−ｎの情報を構成決定部１５５へ出力する。
【０１１６】
基地局装置１００の構成決定部１５５は、グループ分けされた各段階における無線移動端末装置＃１−１〜＃１−ｍ及び＃２−１〜＃２−ｎの受信品質の情報を端末数取得部１５４から取得する。その後、構成決定部１５５は、グループ分けされた無線移動端末装置＃１−１〜＃１−ｍの情報から、セル１０の拡大側のセル変更候補を取得する。また、構成決定部１５５は、グループ分けされた無線移動端末装置＃２−１〜＃２−ｎの情報から、セル２０の拡大側のセル変更候補を取得する（ステップＳ１１９）。
【０１１７】
その後、構成決定部１５５は、取得した変更候補の中から、変更前と変更後の差が最も少ない変更候補を最適変更候補として決定する（ステップＳ１２０）。その後、構成決定部１５５は、決定した最適変更候補を構成管理部１５２へ出力する。
【０１１８】
次に、図１２を参照して、本実施例に係る通信システムによるセル範囲変更の処理の流れについて説明する。図１２は、実施例１に係る通信システムによるセル範囲変更の処理のシーケンス図である。図１２に記載したフローは、図１１のフローの後に実行される処理の流れを表す。
【０１１９】
基地局装置１００の構成管理部１５２は、最適変更候補の情報を構成決定部１５５から取得する。そして、基地局装置１００の構成管理部１５２は、最適変更候補に応じたセル２０のセル範囲変更依頼を基地局装置２００の構成管理部１５７へ送信する（ステップＳ２０１）。
【０１２０】
次に、基地局装置１００の構成管理部１５２は、最適変更候補に応じてセル１０のセル範囲を変更する（ステップＳ２０２）。
【０１２１】
また、基地局装置２００の構成管理部１５７は、最適変更候補に応じてセル２０のセル範囲を変更する（ステップＳ２０３）。その後、基地局装置２００の構成管理部１５７は、セル範囲変更報告を基地局装置１００の構成管理部１５２に通知する（ステップＳ２０４）。
【０１２２】
その後、基地局装置１００及び２００の呼処理制御部１０３は、セル範囲の変更後の受信状況に変化がある無線移動端末装置＃１−１〜＃１−ｍ及び＃２−１〜＃２−ｎをハンドオーバする（ステップＳ２０５）。
【０１２３】
次に、基地局装置１００の構成管理部１５２は、受信品質測定依頼を基地局装置２００の受信品質取得部１５８へ送信する（ステップＳ２０６）。また、構成管理部１５２は、受信品質の測定を受信品質取得部１５３に指示する。
【０１２４】
次に、基地局装置１００の受信品質取得部１５３は、受信品質の測定の指示を基地局装置１００の構成管理部１５２から受ける。そして、受信品質取得部１５３は、ＣＳＩ測定要求を無線移動端末装置＃１−１〜＃１−ｍへ送信する（ステップＳ２０７）。
【０１２５】
また、基地局装置２００の受信品質取得部１５８は、受信品質測定依頼を基地局装置１００の構成管理部１５２から受信する。そして、受信品質取得部１５８は、ＣＳＩ測定要求を無線移動端末装置＃２−１〜＃２−ｎへ送信する（ステップＳ２０８）。
【０１２６】
無線移動端末装置＃１−１〜＃１−ｍは、ＣＳＩ測定結果報告を基地局装置１００へ送信する（ステップＳ２０９）。受信品質取得部１５３は、無線移動端末装置＃１−１〜＃１−ｍのメジャメントレポートを基地局装置１００の呼処理制御部１０３から取得する。
【０１２７】
無線移動端末装置＃２−１〜＃２−ｎは、ＣＳＩ測定結果報告を基地局装置２００へ送信する（ステップＳ２１０）。受信品質取得部１５８は、無線移動端末装置＃２−１〜＃２−ｎのＣＳＩ測定結果報告を基地局装置２００の呼処理制御部１０３から取得する。その後、受信品質取得部１５８は、無線移動端末装置＃２−１〜＃２−ｎの受信品質の情報を基地局装置１００の構成決定部１５５へ送信することで測定結果報告を行う（ステップＳ２１１）。
【０１２８】
基地局装置１００の構成決定部１５５は、無線移動端末装置＃１−１〜＃１−ｍの受信品質の測定結果を受信品質取得部１５３から取得する。また、構成決定部１５５は、無線移動端末装置＃２−１〜＃２−ｎの受信品質の測定結果を基地局装置２００の受信品質取得部１５８から受信する。そして、構成決定部１５５は、無線移動端末装置＃１−１〜＃１−ｍ及び＃２−１〜＃２−ｎのそれぞれの受信品質の測定結果からセル範囲の変更を確認し（ステップＳ２１２）、セル範囲の変更の処理を終了する。
【０１２９】
ここで、本実施例では、構成変更の処理を１回のみ行ったが、これは複数回行ってもよい。例えば、セル範囲変更の確認後、構成決定部１５５は、受信品質の測定結果から重複領域３０の無線移動端末装置３００の数を取得し、セル範囲の変更により重複領域３０の無線移動端末装置３００が減少したか否かを判定する。そして、重複領域３０の無線移動端末装置３００が減少していない場合、構成決定部１５５は、電波状況が改善されていないと判定する。
【０１３０】
電波状況が改善されていない場合、構成決定部１５５は、再度受信品質の測定を行わせ且つ最適変更候補の決定を行い、最適変更候補に応じたセル範囲変更の処理を繰り返してもよい。その他にも、電波状況が改善されていない場合、構成決定部１５５は、最適変更候補の決定前の変更候補の中から他の候補を最適変更候補として再選択して、再選択した最適変更候補に応じたセル範囲変更の処理を繰り返してもよい。
【０１３１】
以上に説明したように、本実施例に係る基地局装置は、重複領域の無線移動端末装置が増加した場合に、主導基地局として動作する。そして、主導基地局は、主導基地局のセルを拡大した場合及び連携基地局のセルを拡大した場合の無線移動端末装置が少ない領域を特定し、セルの変更候補を抽出する。さらに、主導基地局は、抽出した変更候補の中から主導基地局及び連携基地局の収容する無線移動端末装置の数がなるべく均等になるようにセルの変更候補を最適変更候補として決定し、決定した最適変更候補に応じて主導基地局及び連携基地局のセルを変更する。このように、隣接する複数の基地局装置を連動させることで、セル境界を適切に決定することができ、無線通信システム内の無線移動端末装置の配置に最適なセル構成を形成することができる。さらに、主導基地局及び連携基地局の重複領域に在圏する無線移動端末装置を低減させることができ、無線通信システム全体のスループットを向上させることができる。
【０１３２】
また、本実施例に係る無線通信システムでは、重複領域に在圏する無線移動端末装置の低減により、例えば、ＣｏＭＰ（Coordinated  Multi-Point）のように基地局装置間協調による干渉対策に対して制御データ量を大幅に削減することができる。ここで、ＣｏＭＰには、例えば、ＣＳ／ＣＢ（Coordinated  Scheduling/Coordinated  Beam  forming）、ＤＰＳ／ＤＰＢ（Dynamic  Point  Selection/Dynamic  Point  Blanking）及びＪＴ（Joint  Transmission）などが含まれる。加えて、本実施例に係る無線通信システムでは、遅延時間の発生を軽減でき、求められる処理時間精度を担保することができる。
【０１３３】
さらに、本実施例では、２つの基地局装置を連動させる場合で説明したが、同様の処理により３つ以上の基地局装置を連動させて、それらの重複領域に在圏する無線移動端末装置の数を低減させることができる。
【０１３４】
（変形例１）
次に、実施例１に係る基地局装置１００の変形例１について説明する。本変形例に係る基地局装置１００は、自装置に接続する無線移動端末装置３００が増加した場合にもセル範囲変更を開始するか否かの判定を行う。
【０１３５】
開始判定部１５１は、システムスループットが低下すると考えられる、基地局装置１００に接続する無線移動端末装置３００の数を主導側開始判定閾値として予め記憶する。また、開始判定部１５１は、接続する無線移動端末装置３００が増加してもスループットが低下しないと考えられる基地局装置２００に接続する無線移動端末装置３００の数を連携側開始判定閾値として記憶する。
【０１３６】
開始判定部１５１は、基地局装置１００に接続する無線移動端末装置３００から送られたメジャメントレポートを呼処理制御部１０３から受信する。そして、開始判定部１５１が、ハンドオーバなどにより基地局装置１００に接続する無線移動端末装置３００が増加し、主導側開始判定閾値以上か否かを判定する。
【０１３７】
そして、基地局装置１００に接続する無線移動端末装置３００が主導側開始判定閾値以上の場合、開始判定部１５１は、基地局装置２００に接続する無線移動端末装置３００の数を基地局装置２００に問い合わせる。その後、開始判定部１５１は、基地局装置２００に接続する無線移動端末装置３００の数を取得し、その数が連携側開始判定閾値未満か否かを判定する。
【０１３８】
一方、基地局装置１００に接続する無線移動端末装置３００が主導側開始判定閾値未満の場合、開始判定部１５１は、重複領域３０に在圏する無線移動端末装置３００が増加し判定開始閾値以上であるか否かを判定する。
【０１３９】
無線移動端末装置３００が連携側開始判定閾値未満の場合又は重複領域３０に在圏する無線移動端末装置３００の数が判定開始閾値以上の場合、開始判定部１５１は、重複領域３０に在圏する無線移動端末装置３００の数を基地局装置２００に問い合わせる。
【０１４０】
その後、開始判定部１５１は、基地局装置２００に接続し且つ重複領域３０に在圏する無線移動端末装置３００の数を取得する。そして、開始判定部１５１は、重複領域３０に在圏する無線移動端末装置３００の数が開始判定閾値以上か否かを判定する。合計数が開始判定閾値未満の場合、開始判定部１５１は、セル範囲の変更を行わないと決定する。これに対して、合計数が開始判定閾値以上の場合、開始判定部１５１は、セル範囲の変更の開始を決定する。そして、開始判定部１５１は、セル範囲の変更の開始を構成管理部１５２へ指示する。
【０１４１】
次に、図１３を参照して、本変形例に係る無線通信システムによるセル範囲変更の処理の流れについて説明する。図１３は、変形例１に係る無線通信システムによるセル範囲変更の処理のフローチャートである。
【０１４２】
開始判定部１５１は、基地局装置１００に接続し且つ重複領域３０に在圏する無線移動端末装置３００が増加したか否かを判定する（ステップＳ３０１）。基地局装置１００に接続し且つ重複領域３０に在圏する無線移動端末装置３００が増加しない場合（ステップＳ３０１：否定）、開始判定部１５１はステップＳ３０１を繰り返し待機する。
【０１４３】
一方、基地局装置１００に接続し且つ重複領域３０に在圏する無線移動端末装置３００が増加した場合（ステップＳ３０１：肯定）、開始判定部１５１は、基地局装置１００又は２００に接続し、重複領域３０に在圏する無線移動端末装置３００の数を取得する（ステップＳ３０２）。
【０１４４】
そして、開始判定部１５１は、基地局装置１００に接続する無線移動端末装置３００の数が主導側開始判定閾値以上か否かを判定する（ステップＳ３０３）。無線移動端末装置３００の数が主導側開始判定閾値未満の場合（ステップＳ３０３：否定）、開始判定部１５１は、ステップＳ３０５へ進む。
【０１４５】
一方、無線移動端末装置３００の数が主導側開始判定閾値以上の場合（ステップＳ３０３：肯定）、開始判定部１５１は、基地局装置２００に接続する無線移動端末装置３００の数が連携側開始判定閾値未満か否かを判定する（ステップＳ３０４）。無線移動端末装置３００の数が連携側開始判定閾値未満の場合（ステップＳ３０４：肯定）、開始判定部１５１は、ステップＳ３０６へ進む。
【０１４６】
これに対して、無線移動端末装置３００の数が連携側開始判定閾値以上の場合（ステップＳ３０４：否定）、開始判定部１５１は、重複領域３０に在圏する無線移動端末装置３００の数が開始判定閾値以上か否かを判定する（ステップＳ３０５）。重複領域３０に在圏する無線移動端末装置３００の数が開始判定閾値未満の場合（ステップＳ３０５：否定）、開始判定部１５１は、セル拡大の処理の開始判定を終了する。
【０１４７】
これに対して、重複領域３０に在圏する無線移動端末装置３００の数が開始判定閾値以上の場合（ステップＳ３０５：肯定）、開始判定部１５１は、ステップＳ３０６へ進む。
【０１４８】
次に、基地局装置１００の構成管理部１５２は、セル１０を段階的に拡大させる。そして、受信品質取得部１５３は、基地局装置２００に接続する各無線移動端末装置３００の受信品質の情報を取得する（ステップＳ３０６）。
【０１４９】
次に、基地局装置１００の構成管理部１５２は、セル２０の段階的な拡大の指示を基地局装置２００の構成管理部１５７に送信する。そして、構成管理部１５７は、セル２０を段階的に拡大させる。受信品質取得部１５８は、基地局装置１００に接続する各無線移動端末装置３００の受信品質の情報を取得する（ステップＳ３０７）。
【０１５０】
端末数取得部１５４は、受信品質取得部１５３から基地局装置１００に接続する各無線移動端末装置３００の受信品質の情報を取得し、且つ、受信品質取得部１５８から基地局装置２００に接続する各無線移動端末装置３００の受信品質の情報を取得し、集約する。そして、端末数取得部１５４は、受信品質の情報から、各段階における無線移動端末装置３００をグループ分けする。構成決定部１５５は、グループ分けされた各段階における無線移動端末装置３００の情報を端末数取得部１５４から取得する。次に、構成決定部１５５は、グループ分けされた各段階における無線移動端末装置３００の数から、変更候補を選択する（ステップＳ３０８）。
【０１５１】
次に、構成決定部１５５は、各変更候補における基地局装置１００及び２００のそれぞれに接続する無線移動端末装置３００の数を取得する（ステップＳ３０９）。
【０１５２】
次に、構成決定部１５５は、基地局装置１００及び２００のそれぞれに接続する無線移動端末装置３００の数が均等に近くなるように最適変更候補を特定する（ステップＳ３１０）。構成決定部１５５は、最適変更候補の情報を構成管理部１５２へ出力する。
【０１５３】
構成管理部１５２は、最適変更候補の情報の入力を構成決定部１５５から受ける。そして、構成管理部１５２は、最適変更候補に応じたセル範囲にセル１０を変更する。また、構成管理部１５７は、構成管理部１５２から最適変更候補に応じたセル範囲へのセル２０の変更の指示を受けて、セル２０のセル範囲を変更する（ステップＳ３１１）。
【０１５４】
以上に説明したように、本変形例に係る基地局装置は、接続する無線移動端末装置の数が増加してシステムスループットが低下すると考えられる場合にも、セル範囲の変更を行う。これにより、本変形例に係る基地局装置はスループットの低下を軽減することができる。
【０１５５】
（変形例２）
次に、実施例１に係る基地局装置１００の変形例２について説明する。本変形例に係る基地局装置１００は、自装置に接続する無線移動端末装置３００が最大許容数に近い数の場合には、セル２０の拡大のみを行うことが実施例１と異なる。
【０１５６】
開始判定部１５１は、セル１０の拡大を行うか否かを判定するための拡大判定閾値を予め有する。開始判定部１５１は、セル範囲変更の開始を決定した後、基地局装置１００に接続する無線移動端末装置３００の数を取得する。そして、開始判定部１５１は、基地局装置１００に接続する無線移動端末装置３００の数と拡大判定閾値とを比較する。
【０１５７】
基地局装置１００に接続する無線移動端末装置３００の数が拡大判定閾値以上であれば、開始判定部１５１は、セル範囲の変更の開始とともにセル２０のみの拡大を構成管理部１５２に通知する。
【０１５８】
ここで、本変形例では、開始判定部１５１は、セル範囲変更の開始後に基地局装置１００に接続する無線移動端末装置３００の数と拡大判定閾値との比較を行っているが、これは他のタイミングでもよい。例えば、開始判定部１５１は、基地局装置１００に接続する無線移動端末装置３００の増加判定時に、基地局装置１００に接続する無線移動端末装置３００の数と拡大判定閾値との比較を行ってもよい。
【０１５９】
次に、図１４を参照して、本変形例に係る無線通信システムによるセル範囲変更の処理の流れについて説明する。図１４は、変形例２に係る無線通信システムによるセル範囲変更の処理のフローチャートである。
【０１６０】
開始判定部１５１は、基地局装置１００に接続し且つ重複領域３０に在圏する無線移動端末装置３００が増加したか否かを判定する（ステップＳ４０１）。基地局装置１００に接続し且つ重複領域３０に在圏する無線移動端末装置３００が増加しない場合（ステップＳ４０１：否定）、開始判定部１５１はステップＳ４０１を繰り返し待機する。
【０１６１】
一方、基地局装置１００に接続し且つ重複領域３０に在圏する無線移動端末装置３００が増加した場合（ステップＳ４０１：肯定）、開始判定部１５１は、基地局装置１００又は２００に接続し、重複領域３０に在圏する無線移動端末装置３００の数を取得する（ステップＳ４０２）。
【０１６２】
次に、開始判定部１５１は、重複領域３０に在圏する無線移動端末装置３００の数が開始判定閾値以上か否かを判定する（ステップＳ４０３）。重複領域３０に在圏する無線移動端末装置３００の数が開始判定閾値未満の場合（ステップＳ４０３：否定）、開始判定部１５１は、セル範囲変更の処理の開始判定を終了する。
【０１６３】
これに対して、重複領域３０に在圏する無線移動端末装置３００の数が開始判定閾値以上の場合（ステップＳ４０３：肯定）、開始判定部１５１は、基地局装置１００に接続する無線移動端末装置３００の数が拡大判定閾値以上か否かを判定する（ステップＳ４０４）。無線移動端末装置３００の数が拡大判定閾値以上の場合（ステップＳ４０４：肯定）、基地局装置１００の構成管理部１５２は、ステップＳ４０６へ進む。
【０１６４】
これに対して、無線移動端末装置３００の数が拡大判定閾値未満の場合（ステップＳ４０４：否定）、基地局装置１００の構成管理部１５２は、セル１０を段階的に拡大させる。そして、受信品質取得部１５３は、基地局装置２００に接続する各無線移動端末装置３００の受信品質の情報を取得する（ステップＳ４０５）。
【０１６５】
また、基地局装置１００の構成管理部１５２は、セル２０の段階的な拡大の指示を基地局装置２００の構成管理部１５７に送信する。そして、構成管理部１５７は、セル２０を段階的に拡大させる。受信品質取得部１５８は、基地局装置１００に接続する各無線移動端末装置３００の受信品質の情報を取得する（ステップＳ４０６）。
【０１６６】
端末数取得部１５４は、受信品質取得部１５３から基地局装置１００に接続する各無線移動端末装置３００の受信品質の情報を取得し、且つ、受信品質取得部１５８から基地局装置２００に接続する各無線移動端末装置３００の受信品質の情報を取得し、集約する。そして、端末数取得部１５４は、受信品質の情報から、各段階における無線移動端末装置３００をグループ分けする。構成決定部１５５は、グループ分けされた各段階における無線移動端末装置３００の情報を端末数取得部１５４から取得する。次に、構成決定部１５５は、グループ分けされた各段階における無線移動端末装置３００の数から、変更候補を選択する（ステップＳ４０７）。
【０１６７】
次に、構成決定部１５５は、各変更候補における基地局装置１００及び２００のそれぞれに接続する無線移動端末装置３００の数を取得する（ステップＳ４０８）。
【０１６８】
次に、構成決定部１５５は、基地局装置１００及び２００のそれぞれに接続する無線移動端末装置３００の数が均等に近くなるように最適変更候補を特定する（ステップＳ４０９）。構成決定部１５５は、最適変更候補の情報を構成管理部１５２へ出力する。
【０１６９】
基地局装置１００の構成管理部１５２は、最適変更候補の情報の入力を構成決定部１５５から受ける。そして、構成管理部１５２は、最適変更候補に応じたセル範囲にセル１０を変更する。また、基地局装置２００の構成管理部１５７は、基地局装置１００の構成管理部１５２から最適変更候補に応じたセル範囲へのセル２０の変更の指示を受けて、セル２０のセル範囲を変更する（ステップＳ４１０）。
【０１７０】
以上に説明したように、本変形例に係る基地局装置は、接続する無線移動端末装置の数が最大許容数に近い場合に、連携基地局のセルの拡大のみによる変更候補の選択を行う。これにより、自装置のセルの拡大による変更候補の選択を省くことができ、処理負荷を軽減することができる。
【０１７１】
ここで、本実施例では、主導基地局のセル１０の拡大による変更候補の選択を省いたが、同様の方法により、逆に連携基地局のセル２０の拡大による変更候補の選択を省くこともできる。例えば、開始判定部１５１は、基地局装置２００に接続する無線移動端末装置３００の数が拡大判定閾値以上の場合、セル２０の拡大による変更候補の選択を省くことを決定してもよい。さらに、主導基地局のセル１０の拡大による変更候補の選択の省略及び連携基地局のセル２０の拡大による変更候補の選択の省略を組み合わせてもよい。
【０１７２】
（変形例３）
次に、実施例１に係る基地局装置１００の変形例３について説明する。本変形例に係る基地局装置１００は、セル候補の選択時に、接続する無線移動端末装置数の均等化を考慮することが実施例１と異なる。
【０１７３】
構成決定部１５５は、セル１０の拡大の場合及びセル２０の拡大の場合の干渉小グループ、干渉中グループ及び干渉大グループのそれぞれに属する無線移動端末装置３００の数の通知を端末数取得部１５４から受ける。
【０１７４】
さらに、構成決定部１５５は、各変更候補についてセル境界位置を変更した後の基地局装置１００及び２００のそれぞれに接続する無線移動端末装置３００の数の予測値を求める。次に、構成決定部１５５は、求めた各変更候補にセル範囲を変更した後の基地局装置１００及び２００のそれぞれに接続する無線移動端末装置３００の数の予測値の差を求める。
【０１７５】
この場合、構成決定部１５５は、図１５に示すような情報を有する。図１５は、変形例３における変更候補の選択に用いる情報を示す図である。図１５において、各セル範囲に対応する無線移動端末装置数の差の欄は、対応するセル範囲に変更した後の基地局装置１００及び２００のそれぞれに接続する無線移動端末装置３００の数の予測値の差を表す。図１５は、セル１０を拡大した場合の情報を表しているが、構成決定部１５５は、セル２０を拡大した場合にも同様の情報を取得する。
【０１７６】
そして、構成決定部１５５は、基地局装置１００及び２００のそれぞれに接続する無線移動端末装置３００の数の予測値の差が所定値以下となるセル範囲を選択する。さらに、構成決定部１５５は、選択したセル範囲の中から、１つ前の段階のセル範囲との干渉大グループに属する無線移動端末装置３００の数の差が所定値以下になるセル１０のセル範囲を取得する。構成決定部１５５は、取得したセル１０のセル範囲をセル１０の拡大側の変更候補とする。
【０１７７】
次に、構成決定部１５５は、取得した変更候補の内、セル範囲を変更した後の基地局装置１００及び２００のそれぞれに接続する無線移動端末装置３００の数が最も近くなる変更候補を最適変更候補とする。
【０１７８】
以上に説明したように、本変形例に係る基地局装置は、変更候補選択の時点で各基地局装置に接続する無線移動端末装置の均等化を考慮する。これにより、システムスループットが低い候補の選択を回避することができ、重複領域の無線移動端末装置の削減に加えて、セル間の無線移動端末装置の接続数をより均等できる。
【実施例２】
【０１７９】
次に、実施例２について説明する。本実施例に係る基地局装置は、セル範囲変更後に重複領域が存在しないと判定された場合、縮小側のセル範囲を調整することで重複領域を形成することが、実施例１と異なる。そこで、以下では、セル範囲変更後の重複領域の形成について主に説明する。本実施例に係る基地局装置も図３〜５のブロック図で表される。以下の説明では、実施例１と同様の符号を有する各部は特に説明のない限り同様の機能を有するものとする。
【０１８０】
主導基地局である基地局装置１００の構成決定部１５５は、セル１０及び２０の最適変更候補に応じたセル範囲変更を確認した後、以下の処理を実行する。構成決定部１５５は、連携基地局である基地局装置２００から受信した受信品質の情報から、基地局装置２００に接続する無線移動端末装置３００における基地局装置１００からの信号の受信強度を取得する。そして、構成決定部１５５は、基地局装置２００に接続する無線移動端末装置３００の中で基地局装置１００からの干渉影響を受ける端末の有無を判定する。
【０１８１】
さらに、構成決定部１５５は、主導基地局である基地局装置１００の受信品質取得部１５３から受信した受信品質の情報から、基地局装置１００に接続する無線移動端末装置３００における基地局装置２００からの信号の受信強度を取得する。そして、構成決定部１５５は、基地局装置１００に接続する無線移動端末装置３００の中で基地局装置２００からの干渉影響を受ける端末の有無を判定する。
【０１８２】
基地局装置１００からの干渉影響を受ける端末又は基地局装置２００からの干渉影響を受ける端末のいずれかが存在すれば、構成決定部１５５は、重複領域が存在すると判定し、重複領域の形成処理を終了する。
【０１８３】
これに対して、基地局装置１００からの干渉影響を受ける端末及び基地局装置２００からの干渉影響を受ける端末が共に存在しない場合、構成決定部１５５は、重複領域が存在しないと判定する。この場合、構成決定部１５５は、セル範囲の変更において、セル１０又は２０の何れのセルを縮小したかを判定する。
【０１８４】
そして、構成決定部１５５は、縮小したセル側の縮小幅の短縮、すなわち、縮小したセルのセル範囲の拡大を構成管理部１５２に指示する。例えば、セル１０を拡大しセル２０を縮小する構成変更を行った場合、構成決定部１５５は、セル２０の拡大を指示するセル調整依頼を構成管理部１５２に出力する。逆に、セル２０を拡大しセル１０を縮小する構成変更を行った場合、構成決定部１５５は、セル１０の拡大を構成管理部１５２に指示する。
【０１８５】
その後、構成決定部１５５は、基地局装置２００に接続する無線移動端末装置３００の受信品質の情報を呼処理制御部１０３を介して受信する。また、構成決定部１５５は、基地局装置１００に接続する無線移動端末装置３００の情報を受信品質取得部１５３から取得する。そして、構成決定部１５５は、基地局装置１００からの干渉影響を受ける端末及び基地局装置２００からの干渉影響を受ける端末の有無から重複領域の有無を確認する。そして、重複領域が存在しない場合、構成決定部１５５は、重複領域が形成できるまで縮小側のセルを拡大させることを繰り返す。
【０１８６】
構成管理部１５２は、セル２０の拡大の指示又はセル１０の拡大の指示を構成決定部１５５から受ける。構成管理部１５２は、セル１０の拡大の指示を受けた場合、セル１０の拡大を呼処理制御部１０３に指示する。ここで、例えば、構成管理部１５２は、重複領域形成のためのセル１０の拡大幅を予め記憶している。セル１０の拡大幅は、構成変更を行った場合の段階的なセル範囲の縮小よりも小さい幅であることが好ましい。
【０１８７】
また、セル２０の拡大の指示を受けた場合、構成管理部１５２は、セル２０の拡大の指示を呼処理制御部１０３を介して基地局装置２００に送信する。
【０１８８】
構成管理部１５２は、基地局装置１００の呼処理制御部１０３にセル１０の拡大を指示した場合、その後、セル範囲変更の報告を基地局装置１００の呼処理制御部１０３から受ける。また、基地局装置２００の構成管理部１５７にセル調整依頼を送信した場合、その後、構成管理部１５２は、セル範囲変更の報告を構成管理部１５７から受ける。
【０１８９】
セル範囲変更の報告受信後、構成管理部１５２は、基地局装置１００の受信品質取得部１５３及び基地局装置２００の受信品質取得部１５８に再度受信品質の測定を実行させる。
【０１９０】
また、基地局装置１００の受信品質取得部１５３は、セル１０又は２０の拡大後、受信品質の測定依頼を構成管理部１５２から受信する。その後、受信品質取得部１５３は、基地局装置１００に接続する無線移動端末装置３００から受信品質の情報を取得し、構成決定部１５５へ送信する。
【０１９１】
基地局装置２００の構成管理部１５７は、セル１０を拡大しセル２０を縮小する構成変更を行った場合、セル２０の拡大の依頼を基地局装置１００の構成管理部１５２から受信する。そして、構成管理部１５７は、セル２０の拡大を基地局装置２００の呼処理制御部１０３に指示する。ここで、例えば、構成管理部１５７は、重複領域形成におけるセル２０の拡大幅を予め記憶している。セル２０の拡大幅は、構成変更を行った場合の段階的なセル範囲の縮小よりも小さい幅であることが好ましい。
【０１９２】
その後、構成管理部１５７は、セル範囲変更の報告を基地局装置１００の構成管理部１５２に通知する。
【０１９３】
また、基地局装置２００の受信品質取得部１５８は、セル１０又は２０の拡大後、受信品質の測定依頼を基地局装置１００の構成管理部１５２から受信する。その後、受信品質取得部１５８は、基地局装置２００に接続する無線移動端末装置３００から受信品質の情報を取得し、基地局装置１００へ送信する。
【０１９４】
次に、図１６を参照して、本実施例に係る通信システム１による重複領域形成の処理の流れについて説明する。図１６は、実施例２に係る通信システムによる重複領域形成の処理のシーケンス図である。
【０１９５】
基地局装置１００の構成管理部１５２は、最適変更候補の情報を構成決定部１５５から取得する。そして、基地局装置１００の構成管理部１５２は、最適変更候補に応じたセル２０のセル範囲変更依頼を基地局装置２００の構成管理部１５７へ送信する（ステップＳ５０１）。
【０１９６】
次に、基地局装置１００の構成管理部１５２は、最適変更候補に応じてセル１０のセル範囲を変更する（ステップＳ５０２）。
【０１９７】
また、基地局装置２００の構成管理部１５７は、最適変更候補に応じてセル２０のセル範囲を変更する（ステップＳ５０３）。その後、基地局装置２００の構成管理部１５７は、セル範囲変更報告を基地局装置１００の構成管理部１５２に通知する（ステップＳ５０４）。
【０１９８】
その後、基地局装置１００及び２００の呼処理制御部１０３は、セル範囲の変更後の受信状況に変化がある無線移動端末装置＃１−１〜＃１−ｍ及び＃２−１〜＃２−ｎをハンドオーバする（ステップＳ５０５）。
【０１９９】
次に、基地局装置１００の構成管理部１５２は、受信品質測定依頼を基地局装置２００の受信品質取得部１５８へ送信する（ステップＳ５０６）。また、構成管理部１５２は、受信品質の測定を受信品質取得部１５３に指示する。
【０２００】
次に、基地局装置１００の受信品質取得部１５３は、受信品質の測定の指示を基地局装置１００の構成管理部１５２から受ける。そして、受信品質取得部１５３は、ＣＳＩ測定要求を無線移動端末装置＃１−１〜＃１−ｍへ送信する（ステップＳ５０７）。
【０２０１】
また、基地局装置２００の受信品質取得部１５８は、受信品質測定依頼を基地局装置１００の構成管理部１５２から受信する。そして、受信品質取得部１５８は、ＣＳＩ測定要求を無線移動端末装置＃２−１〜＃２−ｎへ送信する（ステップＳ５０８）。
【０２０２】
無線移動端末装置＃１−１〜＃１−ｍは、メジャメントレポートを用いてＣＳＩ測定結果報告を基地局装置１００に対して行う（ステップＳ５０９）。受信品質取得部１５３は、無線移動端末装置＃１−１〜＃１−ｍのメジャメントレポートを基地局装置１００の呼処理制御部１０３から取得する。
【０２０３】
無線移動端末装置＃２−１〜＃２−ｎは、メジャメントレポートを用いてＣＳＩ測定結果報告を基地局装置２００に対して行う（ステップＳ５１０）。受信品質取得部１５８は、無線移動端末装置＃２−１〜＃２−ｎのメジャメントレポートを基地局装置２００の呼処理制御部１０３から取得する。その後、受信品質取得部１５８は、無線移動端末装置＃２−１〜＃２−ｎの受信品質の情報を基地局装置１００の構成決定部１５５へ送信することで測定結果報告を行う（ステップＳ５１１）。
【０２０４】
基地局装置１００の構成決定部１５５は、無線移動端末装置＃１−１〜＃１−ｍの受信品質の測定結果を受信品質取得部１５３から取得する。また、構成決定部１５５は、無線移動端末装置＃２−１〜＃２−ｎの受信品質の測定結果を基地局装置２００の受信品質取得部１５８から受信する。そして、構成決定部１５５は、無線移動端末装置＃１−１〜＃１−ｍ及び＃２−１〜＃２−ｎのそれぞれの受信品質の測定結果からセル範囲の変更を確認する（ステップＳ５１２）。
【０２０５】
さらに、構成管理部１５２は、基地局装置１００からの干渉影響を受ける端末又は基地局装置２００からの干渉影響を受ける端末の有無から重複領域が存在するか否かを判定する（ステップＳ５１３）。重複領域が存在する場合（ステップＳ５１３：肯定）、構成管理部１５２は、セル範囲変更及び重複領域形成の処理を終了する。
【０２０６】
これに対して、重複領域が存在しない場合（ステップＳ５１３：否定）、構成決定部１５５は、セル１０が縮小側のセルか否かを判定する（ステップＳ５１４）。セル１０が縮小側のセルの場合（ステップＳ５１４：肯定）、構成決定部１５５は、セル１０の拡大を構成管理部１５２に指示する。構成管理部１５２は、セル１０の拡大を基地局装置１００の呼処理制御部１０３に指示し、セル１０のセル範囲を変更する（ステップＳ５１５）。その後、基地局装置１００及び２００は、ステップＳ５０５へ戻る。
【０２０７】
これに対して、セル１０が拡大側のセル、すなわちセル２０が縮小側のセルの場合（ステップＳ５１４：否定）、構成管理部１５２は、セル調整依頼を基地局装置２００の構成管理部１５７に送信する（ステップＳ５１６）。セル調整依頼を受けて、基地局装置２００の構成管理部１５７は、セル範囲の拡大を基地局装置２００の呼処理制御部１０３に指示し、セル２０のセル範囲を変更する（ステップＳ５１７）。その後、基地局装置１００及び２００は、ステップＳ５０４へ戻る。
【０２０８】
以上に説明したように、本実施例に係る基地局装置は、セル範囲の変更後、重複領域が存在しなければ、縮小側のセルを拡大して重複領域を形成する。これにより、重複領域を有するセル範囲の変更を確実に行うことができ、漏れのない通信エリアを形成でき、確実な通信サービスを提供することができる。
【実施例３】
【０２０９】
次に、実施例３に係る無線通信システムについて説明する。本実施例に係る無線通信システムは、特定の基地局装置に隣接する基地局装置のセル範囲を拡大することで特定の基地局装置に接続する無線移動端末装置の位置を把握し、把握した無線移動端末装置の位置に応じてセルを分割する。以下に、本実施例に係る無線通信システムについて説明する。
【０２１０】
図１７は、実施例３に係る無線通信システムにおけるセルの状態の一例を表す図である。図１７に示すように、セル１０を有する基地局装置１００及びセル２１〜２６をそれぞれ有する基地局装置２０１〜２０６が存在する。そして、セル１０は、セル２１〜２６のそれぞれと重複領域を有する。以下では、基地局装置２０１〜２０６及びセル２１〜２６を区別しない場合、「基地局装置２００」及び「セル２０」という。
【０２１１】
ここでは、基地局装置１００がセル１０の分割を行う主導基地局であり、基地局装置２００がセル１０の分割のために基地局装置１００と連携して動作する連携基地局である場合で説明する。基地局装置１００及び２００ともに、装置全体のブロック図は図３で表される。
【０２１２】
図１８は、実施例３に係る主導基地局の協調制御部のブロック図である。本実施例に係る主導基地局である基地局装置１００の協調制御部１０５は、開始判定部５０１、構成管理部５０２、受信品質取得部５０３、端末数取得部５０４及び構成決定部５０５を有する。
【０２１３】
開始判定部５０１は、システムスループットが低下すると考えられる、基地局装置１００に接続する無線移動端末装置３００の数を開始判定閾値として予め記憶する。また、開始判定部５０１は、ある無線移動端末装置３００が重複領域に在圏すると判定するための基地局装置１００及び２００からの信号の受信強度を予め有する。
【０２１４】
開始判定部５０１は、基地局装置１００に収容された無線移動端末装置３００からのメジャメントレポートを呼処理制御部１０３から取得する。次に、開始判定部５０１は、取得したメジャメントレポートから基地局装置１００に接続する無線移動端末装置３００の数を求める。次に、開始判定部５０１は、基地局装置１００に接続する無線移動端末装置３００の数が開始判定閾値以上か否かを判定する。
【０２１５】
基地局装置１００に接続する無線移動端末装置３００の数が開始判定閾値以上の場合、開始判定部５０１は、セル分割の開始を決定する。そして、開始判定部５０１は、セル分割の開始を構成管理部５０２に指示する。
【０２１６】
構成管理部５０２は、セル分割の開始の指示を開始判定部５０１から受ける。そして、構成管理部５０２は、所定のタイミングでセル範囲を拡大させる指示を連携基地局である基地局装置２００に対して呼処理制御部１０３を介して送信する。ここで、所定のタイミングは、例えば、開始判定部５０１からセル分割開始の指示を受けてから一定時間後などと予め決められる。さらに、構成管理部５０２は、所定のタイミングに合わせた各無線移動端末装置３００からの受信品質の取得を受信品質取得部５０３に指示する。このセル範囲の拡大が、「無線エリアの構成変更」の一例にあたる。
【０２１７】
構成管理部５０２からの指示により、基地局装置２００がセル２０を拡大する。セル２０が拡大すると、セル１０及び２０は、図１９で表される状態となる。図１９は、連携基地局のセルが拡大された状態を表す図である。図１９では、拡大の状態が分かり易いように拡大前のセルも破線で表している。図１９に示すように、セル１０の内部の深い位置まで、セル２０のセル範囲が拡大するため、セル１０のほとんどの領域が各セル２０によって覆われる。
【０２１８】
その後、構成管理部５０２は、構成決定部５０５が決定したセル分割のセル構成の通知を受ける。そして、構成管理部５０２は、通知されたセル構成にしたがったセル分割を呼処理制御部１０３へ指示する。
【０２１９】
受信品質取得部５０３は、所定のタイミングに合わせたＣＳＩ測定要求を基地局装置１００に接続する無線移動端末装置３００へ呼処理制御部１０３を介して送信する。その後、受信品質取得部５０３は、無線移動端末装置３００からの所定のタイミングに合わせたＣＳＩ測定結果報告を呼処理制御部１０３を介して取得する。そして、受信品質取得部５０３は、ＣＳＩ測定結果報告に含まれる各無線移動端末装置３００における受信強度の情報を、信号の発信元の基地局装置２００の情報と共に端末数取得部５０４へ出力する。
【０２２０】
また、受信品質取得部５０３は、セル分割の実行後、分割後の各セルに在圏する無線移動端末装置３００の受信品質の情報の取得の指示を構成決定部５０５から受ける。そして、受信品質取得部５０３は、ＣＳＩ測定要求をセル分割後の基地局装置１００に接続する無線移動端末装置３００へ呼処理制御部１０３を介して送信する。その後、受信品質取得部５０３は、無線移動端末装置３００からＣＳＩ測定結果報告を呼処理制御部１０３を介して取得する。そして、受信品質取得部５０３は、ＣＳＩ測定結果報告に含まれる分割後の各セルに在圏する各無線移動端末装置３００の受信強度の情報を端末数取得部５０４へ出力する。
【０２２１】
端末数取得部５０４は、拡大したセル２０に在圏すると判定するための在圏判定閾値を予め有する。端末数取得部５０４は、各無線移動端末装置３００における受信強度の情報及び信号の発信元の基地局装置２００の情報の入力を受信品質取得部５０３から受ける。次に、端末数取得部５０４は、あるセル２０からの信号の受信強度が在圏判定閾値以上である無線移動端末装置３００をそのセル２０に在圏すると判定する。
【０２２２】
そして、端末数取得部５０４は、各セル２０に在圏すると判定した無線移動端末装置３００の数を求め、図２０に示すように基地局装置２００毎の無線移動端末装置３００の数を取得する。ここで、「基地局装置２００の干渉を受ける無線移動端末装置３００の数」とは、その基地局装置２００が有するセル２０に在圏する無線移動端末装置３００を指す。図２０は、各連携基地局の干渉を受ける無線移動端末装置の数の一例を表す図である。ここでは、基地局装置２０１の干渉を受ける無線移動端末装置３００が４台である。また、基地局装置２０４の干渉を受ける無線移動端末装置３００が４台である。また、基地局装置２０５の干渉を受ける無線移動端末装置３００が５台である。また、基地局装置２０６の干渉を受ける無線移動端末装置３００が８台である。
【０２２３】
そして、端末数取得部５０４は、各基地局装置２００の干渉を受ける無線移動端末装置３００の数を構成決定部５０５へ出力する。
【０２２４】
構成決定部５０５は、例えば、図２１に示すような無線移動端末装置３００の分布図６００を作成する。図２１は、無線移動端末装置の分布図の一例の図である。本実施例では、基地局装置２０１〜２０６の６つの基地局装置が、セル１０に重複領域を有する。そのため、無線移動端末装置３００の分布図６００は、図２１のように６つの領域に分けられる。各領域に記載された基地局装置２０１〜２０６が、その領域に存在する無線移動端末装置３００に干渉を与える基地局装置を表す。そして、各領域に記載された数字がその領域に存在する無線移動端末装置３００の数を表す。
【０２２５】
構成決定部５０５は、在圏する無線移動端末装置３００の数に偏りが少ないように現在のセル１０を２つのセルに分割する。例えば、図２１のように無線移動端末装置３００が分布している場合、基地局装置２０１、２０２及び２０６から干渉を受ける無線移動端末装置３００の合計は１２台である。また、基地局装置２０３、２０４及び２０５から干渉を受ける無線移動端末装置３００の合計が９台である。そして、分布図６００で表される領域を、基地局装置２０１、２０２及び２０６から干渉を受ける領域と基地局装置２０３、２０４及び２０５から干渉を受ける領域とに分割することで、各領域に在圏する無線移動端末装置３００の偏りが最も少なくなる。ここで、無線移動端末装置３００の中には拡大したセル２１〜２６の内の複数のセルが重複する領域に在圏する場合がある。このため、図２１に示す分布図で表される領域を分割した場合に、各領域に含まれる無線移動端末装置３００の合計が基地局装置１００に接続する無線移動端末装置３００の総数を超える場合もある。
【０２２６】
構成決定部５０５は、基地局装置２０１、２０２及び２０６から干渉を受ける領域をカバーするセルと基地局装置２０３、２０４及び２０５から干渉を受ける領域をカバーするセルとにセル１０を分割することを決定する。すなわち、構成決定部５０５は、図２２に示すように、基地局装置２０１、２０２及び２０６から干渉を受ける領域をカバーするセル５１と基地局装置２０３、２０４及び２０５から干渉を受ける領域をカバーするセル５２を形成するように構成を決定する。構成決定部５０５は、決定したセル構成を構成管理部５０２に通知する。図２２は、分割後のセルの状態を表す図である。図２２では、分割の状態が分かり易いように分割前のセル１０を記載しているが、セル５１及び５２が形成された後には実際にはセル１０は存在しない。
【０２２７】
その後、構成決定部５０５は、受信品質の取得を受信品質取得部５０３に指示する。そして、構成決定部５０５は、受信品質取得部５０３から取得したセル５１及び５２を形成する基地局装置１００に接続する無線移動端末装置３００の受信品質から各セルに在圏する無線移動端末装置３００の数を確認する。この時、セル５１及び５２のそれぞれに在圏する無線移動端末装置３００の差が所定値以下の場合、構成決定部５０５は、各セルに無線移動端末装置３００が偏りなく在圏していると判定する。
【０２２８】
各セルに無線移動端末装置３００が偏りなく在圏している場合、構成決定部５０５は、セル分割の処理を終了する。これに対して、各セルに在圏する無線移動端末装置３００に偏りがある場合、構成管理部５０２に再度セル分割の開始を指示することで、セル分割の処理を繰り返させ、セル分割を最適化する。
【０２２９】
基地局装置２００の協調制御部１０５は、基地局装置１００の構成管理部５０２が送信した所定のタイミングでセル範囲を拡大させる指示を受信する。そして、基地局装置２００の協調制御部１０５は、指定された所定のタイミングでセル２０のセル範囲を一時的に拡大する。
【０２３０】
次に、図２３を参照して、本実施例に係る無線通信システムによるセル分割処理の流れについて説明する。図２３は、実施例３に係る無線通信システムによるセル分割処理のシーケンス図である。
【０２３１】
基地局装置１００に接続する無線移動端末装置３００が、ハンドオーバなどにより変化する（ステップＳ６０１）。
【０２３２】
基地局装置１００の開始判定部５０１は、基地局装置１００に接続する無線移動端末装置３００の数が開始判定閾値以上か否かにより、セル分割を開始するか否かを判定する（ステップＳ６０２）。セル分割を開始しない場合（ステップＳ６０２：否定）、無線通信システムはステップＳ６０１に戻る。
【０２３３】
これに対して、セル分割を開始する場合（ステップＳ６０２：肯定）、基地局装置１００の開始判定部５０１は、セル分割の開始を構成管理部５０２に通知する。構成管理部５０２は、セル２１〜２６のセル範囲拡張の指示を基地局装置２０１〜２０６の協調制御部１０５へ送信する（ステップＳ６０３）。
【０２３４】
また、構成管理部５０２は、所定のタイミングでの受信品質の取得を受信品質取得部５０３に指示する。受信品質取得部５０３は、所定のタイミングに合わせたＣＳＩ測定要求を基地局装置１００に接続する無線移動端末装置＃１−１〜＃１−ｍへ送信する（ステップＳ６０４）。
【０２３５】
無線移動端末装置＃１−１〜＃１−ｍは、所定のタイミングでＣＳＩ測定を実行する。その後、無線移動端末装置＃１−１〜＃１−ｍは、ＣＳＩ測定結果報告を基地局装置１００の受信品質取得部５０３へ送信する（ステップＳ６０５）。
【０２３６】
受信品質取得部５０３は、ＣＳＩ測定結果報告に含まれる各無線移動端末装置３００における受信強度の情報を、信号の発信元の基地局装置２００の情報と共に端末数取得部５０４へ出力する。端末数取得部５０４は、各基地局装置２００からの信号の受信強度が在圏判定閾値以上である無線移動端末装置３００を、それぞれの基地局装置２００から干渉を受ける無線移動端末装置３００とする。その後、端末数取得部５０４は、各基地局装置２００から干渉を受ける無線移動端末装置３００の数を構成決定部５０５へ出力する。構成決定部５０５は、セル１０内の無線移動端末装置３００の分布図６００を作成する。次に、構成決定部５０５は、在圏する無線移動端末装置３００の偏りが少なくなるようにセル１０の分割を決定する。そして、構成決定部５０５は、決定したセル１０の分割を構成管理部５０２に通知する。構成管理部５０２は、通知にしたがったセル１０の分割を呼処理制御部１０３に指示し、セル分割を実行する（ステップＳ６０６）。
【０２３７】
次に、構成決定部５０５は、セル分割後の基地局装置１００に接続する無線移動端末装置３００の受信品質の情報の取得を受信品質取得部５０３に要求する。その後、構成決定部５０５は、受信品質取得部５０３から取得した受信品質の情報を用いて、分割後の各セルに在圏する無線移動端末装置３００の数を求め、セル分割の確認を行う（ステップＳ６０７）。
【０２３８】
そして、構成決定部５０５は、分割後の各セルに在圏する無線移動端末装置３００の数に偏りが無いか否かを判定する（ステップＳ６０８）。偏りがある場合（ステップＳ６０８：否定）、基地局装置１００はステップＳ６０３に戻る。これに対して、偏りが無い場合（ステップＳ６０８：肯定）、基地局装置１００はセル分割の処理を終了する。
【０２３９】
以上に説明したように、本実施例に係る基地局装置は、連携基地局のセルを拡大させた状態での受信品質を用いて自装置のセルに在圏する無線移動端末装置の分布を調べ、無線移動端末装置の数が均等になるようにセルの分割を行う。これにより、セル内の無線移動端末装置の数が増え、無線移動端末装置へ割り当てるリソースが少なくなった場合に、セルを自動的に分割することで、各無線移動端末装置へのリソースの割り当てを多くすることができる。
【０２４０】
（ハードウェア構成）
図２４は、基地局装置のハードウェア構成図である。図２４では、基地局装置１００を例に描いているが、基地局装置２００も同様の構成を有する。基地局装置１００は、図２４に示すように、ＲＦ（Radio  Frequency）回路９０１、ネットワークインタフェース９０２、ＣＰＵ（Central  Processing  Unit）９０３、ＤＳＰ（Digital  Signal  Processor）９０４及びメモリ９０５を有する。
【０２４１】
ＣＰＵ９０３は、バスを介してＲＦ回路９０１、ネットワークインタフェース９０２、ＤＳＰ９０４及びメモリ９０５と接続している。
【０２４２】
ＲＦ回路９０１は、図３に例示した無線通信部１０１の機能を実現する。また、ネットワークインタフェース９０２は、図３に示したコアネットワーク基地局インタフェース１０４の機能を実現する。
【０２４３】
ＣＰＵ９０３及びＤＳＰ９０４は、ベースバンド処理部１０２及び呼処理制御部１０３の機能を実現する。すなわち、ＤＰＳ９０４は、呼制御、発着制御、ベースバンド処理など無線通信に関する無線信号処理を実行する。
【０２４４】
さらに、ＣＰＵ９０３及びメモリ９０５は、図３に例示した協調制御部１０５の機能を実現する。具体的には、例えば、メモリ９０５は、図４に例示した開始判定部１５１、構成管理部１５２、受信品質取得部１５３、端末数取得部１５４及び構成決定部１５５の機能を実現するためのプログラムを含む各種プログラムを保持する。ＣＰＵ９０３は、メモリ９０５に格納された各種プログラムを読み出し実行することで、開始判定部１５１、構成管理部１５２、受信品質取得部１５３、端末数取得部１５４及び構成決定部１５５の機能を実現する。
【０２４５】
また、基地局装置２００においては、メモリ９０５は、図５に例示した構成管理部１５７及び受信品質取得部１５８の機能を実現するためのプログラムを含む各種プログラムを保持する。ＣＰＵ９０３は、メモリ９０５に格納された各種プログラムを読み出し実行することで、構成管理部１５７及び受信品質取得部１５８の機能を実現する。
【０２４６】
また、実施例３に係る基地局装置１００では、メモリ９０５は、図１８に例示した開始判定部５０１、構成管理部５０２、受信品質取得部５０３、端末数取得部５０４及び構成決定部５０５の機能を実現するためのプログラムを含む各種プログラムを保持する。ＣＰＵ９０３は、メモリ９０５に格納された各種プログラムを読み出し実行することで、開始判定部５０１、構成管理部５０２、受信品質取得部５０３、端末数取得部５０４及び構成決定部５０５の機能を実現する。
【０２４７】
図２５は、無線移動端末装置のハードウェア構成図である。無線移動端末装置３００は、ＲＦ回路９１１、ＣＰＵ９１２及びメモリ９１３を有する。
【０２４８】
ＲＦ回路９１１は、基地局装置１００及び２００に対する無線信号の送信及び受信の機能を実現する。ＣＰＵ９１２及びメモリ９１３は、呼制御、発着制御、ベースバンド処理など無線通信に関する無線信号処理を実行する。さらに、ＣＰＵ９１２は、基地局装置１００及び２００からの制御信号を受けて、制御にしたがい処理を実行する機能を実現する。具体的には、ＣＰＵ９１２は、ＣＳＩ測定要求を受けて、ＲＦ回路９１１で受信した信号に対してＣＳＩ測定を行い、ＣＳＩ測定結果をＲＦ回路９１１を介して依頼元へ送信する機能を実現する。
【符号の説明】
【０２４９】
１  無線通信システム
１０，２０〜２６  セル
３０  重複領域
４０  ＥＰＣ
１００，２００〜２０６  基地局装置
１０１  無線通信部
１０２  ベースバンド処理部
１０３  呼処理制御部
１０４  コアネットワーク基地局インタフェース
１０５  協調制御部
１０６  アンテナ
１１１  受信部
１１２  送信部
１５１  開始判定部
１５２，１５７  構成管理部
１５３，１５８  受信品質取得部
１５４  端末数取得部
１５５  構成決定部
３００  無線移動端末装置
４００  コアネットワーク
５０１  開始判定部
５０２  構成管理部
５０３  受信品質取得部
５０４  端末数取得部
５０５  構成決定部
【図１】
2017092680.tif 000003
【図２】
2017092680.tif 000004
【図３】
2017092680.tif 000005
【図４】
2017092680.tif 000006
【図５】
2017092680.tif 000007
【図６】
2017092680.tif 000008
【図７】
2017092680.tif 000009
【図８】
2017092680.tif 000010
【図９】
2017092680.tif 000011
【図１０】
2017092680.tif 000012
【図１１】
2017092680.tif 000013
【図１２】
2017092680.tif 000014
【図１３】
2017092680.tif 000015
【図１４】
2017092680.tif 000016
【図１５】
2017092680.tif 000017
【図１６】
2017092680.tif 000018
【図１７】
2017092680.tif 000019
【図１８】
2017092680.tif 000020
【図１９】
2017092680.tif 000021
【図２０】
2017092680.tif 000022
【図２１】
2017092680.tif 000023
【図２２】
2017092680.tif 000024
【図２３】
2017092680.tif 000025
【図２４】
2017092680.tif 000026
【図２５】
2017092680.tif 000027